(57)【特許請求の範囲】
【請求項１】
チャネル情報を取得するための方法であって、
基地局により、複数のパイロット信号に、アンテナアレイにおける複数の第１の予め設定されたアンテナをマッピングする段階と、
前記基地局から端末に、前記複数のパイロット信号とアンテナ構成情報とを送信する段階であって、前記アンテナ構成情報は、前記複数の第１の予め設定されたアンテナのパターン情報と複数の第２の予め設定されたアンテナのパターン情報とを含む、段階と、
前記端末により、前記複数のパイロット信号から、前記複数の第１の予め設定されたアンテナに対応するチャネル行列を取得する段階と、
前記端末により、前記アンテナ構成情報から、前記複数の第１の予め設定されたアンテナと前記複数の第２の予め設定されたアンテナとの間の位置関係を取得する段階と、
前記端末により、前記複数の第２の予め設定されたアンテナのチャネル状態情報を得るべく、前記複数の第１の予め設定されたアンテナに対応する前記チャネル行列と、前記複数の第１の予め設定されたアンテナと前記複数の第２の予め設定されたアンテナとの間の前記位置関係とに従って補間演算を実行する段階と、
前記端末によりフィードバックされる、前記複数の第２の予め設定されたアンテナのチャネル状態情報を前記基地局により受信する段階と
を備え、
前記複数の第１の予め設定されたアンテナ及び前記複数の第２の予め設定されたアンテナは同じアンテナアレイにあり、前記複数の第１の予め設定されたアンテナは、前記複数の第２の予め設定されたアンテナとは異なるものである、
チャネル情報を取得するための方法。
【請求項２】
前記アンテナアレイが二重偏波アンテナアレイである場合、前記複数の第１の予め設定されたアンテナは、
少なくとも２つのアンテナが同じ行になく、少なくとも２つのアンテナが同じ列になく、少なくとも２つのアンテナが異なる偏波方向にあること
を満たす、
請求項１に記載の方法。
【請求項３】
前記複数の第２の予め設定されたアンテナが前記複数の第１の予め設定されたアンテナを含む場合、前記アンテナ構成情報は、
前記複数の第２の予め設定されたアンテナにおける前記複数の第１の予め設定されたアンテナのパターン情報
を含む、
請求項１又は２に記載の方法。
【請求項４】
前記複数の第２の予め設定されたアンテナが前記複数の第１の予め設定されたアンテナを含まない場合、前記アンテナ構成情報は、
前記アンテナアレイにおける前記複数の第１の予め設定されたアンテナのパターン情報と、
前記アンテナアレイにおける前記複数の第２の予め設定されたアンテナのパターン情報と
を含む、
請求項１又は２に記載の方法。
【請求項５】
前記アンテナ構成情報は、
複数のアンテナの間の間隔及び前記複数のアンテナの間の複数の相関係数のうちの少なくとも１つをさらに含む、
請求項１から４の何れか一項に記載の方法。
【請求項６】
基地局であって、
プロセッサと、
受信機と、
送信機と、
メモリと、
バスと
を備え、
前記プロセッサと、前記受信機と、前記送信機と、前記メモリとは、前記バスを用いて接続され、
前記メモリは、前記プロセッサにより処理されるべきデータを格納し、
前記プロセッサは、複数のパイロット信号へ、アンテナアレイにおける複数の第１の予め設定されたアンテナをマッピングし、
前記送信機は、端末に、前記複数のパイロット信号とアンテナ構成情報とを送信し、前記アンテナ構成情報は、前記複数の第１の予め設定されたアンテナのパターン情報及び複数の第２の予め設定されたアンテナのパターン情報を含み、
前記受信機は、前記端末によりフィードバックされる、前記複数の第２の予め設定されたアンテナのチャネル状態情報を受信し、前記複数の第２の予め設定されたアンテナの前記チャネル状態情報は、前記複数のパイロット信号から取得された前記複数の第１の予め設定されたアンテナに対応するチャネル行列と、前記アンテナ構成情報から取得された前記複数の第１の予め設定されたアンテナと前記複数の第２の予め設定されたアンテナとの間の位置関係とに従って前記端末で補間演算により取得され、
前記複数の第１の予め設定されたアンテナ及び前記複数の第２の予め設定されたアンテナは同じアンテナアレイにあり、前記複数の第１の予め設定されたアンテナは、前記複数の第２の予め設定されたアンテナとは異なるものである、
基地局。
【請求項７】
前記アンテナアレイが二重偏波アンテナアレイである場合、前記複数の第１の予め設定されたアンテナは、
少なくとも２つのアンテナが同じ行になく、少なくとも２つのアンテナが同じ列になく、少なくとも２つのアンテナが異なる偏波方向にあること
を満たす、
請求項６に記載の基地局。
【請求項８】
前記複数の第２の予め設定されたアンテナが前記複数の第１の予め設定されたアンテナを含む場合、前記送信機により送信された前記アンテナ構成情報は、
前記複数の第２の予め設定されたアンテナにおける前記複数の第１の予め設定されたアンテナのパターン情報
を含む、
請求項６又は７に記載の基地局。
【請求項９】
前記複数の第２の予め設定されたアンテナが前記複数の第１の予め設定されたアンテナを含まない場合、前記送信機により送信された前記アンテナ構成情報は、
前記アンテナアレイにおける前記複数の第１の予め設定されたアンテナのパターン情報と、
前記アンテナアレイにおける前記複数の第２の予め設定されたアンテナのパターン情報と
を含む、
請求項６又は７に記載の基地局。
【請求項１０】
前記送信機により送信された前記アンテナ構成情報は、
複数のアンテナの間の間隔及び前記複数のアンテナの間の複数の相関係数のうちの少なくとも１つ
をさらに含む、
請求項６から９の何れか一項に記載の基地局。
【請求項１１】
端末であって、
プロセッサと、
受信機と、
送信機と、
メモリと、
バスと
を備え、
前記プロセッサと、前記受信機と、前記送信機と、前記メモリとは、前記バスを用いて接続され、
前記メモリは、前記プロセッサにより処理されるべきデータを格納し、
前記受信機は、基地局により送信される複数のパイロット信号及びアンテナ構成情報を受信し、前記複数のパイロット信号は、アンテナアレイにおける複数の第１の予め設定されたアンテナがマッピングされる複数のパイロット信号であり、前記アンテナ構成情報は、前記複数の第１の予め設定されたアンテナのパターン情報と複数の第２の予め設定されたアンテナのパターン情報とを含み、
前記プロセッサは、前記複数のパイロット信号と前記アンテナ構成情報とに従って計算を用いて前記複数の第２の予め設定されたアンテナのチャネル状態情報を得、
前記送信機は、前記基地局に、前記複数の第２の予め設定されたアンテナの前記チャネル状態情報を送信し、
前記複数の第１の予め設定されたアンテナ及び前記複数の第２の予め設定されたアンテナは同じアンテナアレイにあり、前記複数の第１の予め設定されたアンテナは、前記複数の第２の予め設定されたアンテナとは異なるものであり、
前記プロセッサは、
前記複数のパイロット信号から、前記複数の第１の予め設定されたアンテナに対応するチャネル行列を取得し、
前記アンテナ構成情報から、前記複数の第１の予め設定されたアンテナと前記複数の第２の予め設定されたアンテナとの間の位置関係を取得し、
前記複数の第２の予め設定されたアンテナの前記チャネル状態情報を得るべく、前記複数の第１の予め設定されたアンテナに対応する前記チャネル行列と、前記複数の第１の予め設定されたアンテナと前記複数の第２の予め設定されたアンテナとの間の前記位置関係とに従って補間演算を実行する、
端末。
【請求項１２】
前記アンテナアレイが二重偏波アンテナアレイである場合、前記複数の第１の予め設定されたアンテナは、
少なくとも２つのアンテナが同じ行になく、少なくとも２つのアンテナが同じ列になく、少なくとも２つのアンテナが異なる偏波方向にあること
を満たす、
請求項１１に記載の端末。
【請求項１３】
前記複数の第２の予め設定されたアンテナが前記複数の第１の予め設定されたアンテナを含む場合、前記受信機により受信される前記アンテナ構成情報は、
前記複数の第２の予め設定されたアンテナにおける前記複数の第１の予め設定されたアンテナのパターン情報
を含む、
請求項１１又は１２に記載の端末。
【請求項１４】
前記複数の第２の予め設定されたアンテナが前記複数の第１の予め設定されたアンテナを含まない場合、前記受信機により受信される前記アンテナ構成情報は、
前記アンテナアレイにおける前記複数の第１の予め設定されたアンテナのパターン情報と、
前記アンテナアレイにおける前記複数の第２の予め設定されたアンテナのパターン情報と
を含む、
請求項１１又は１２に記載の端末。
【請求項１５】
前記受信機により受信される前記アンテナ構成情報は、
複数のアンテナの間の間隔及び前記複数のアンテナの間の複数の相関係数のうちの少なくとも１つ
をさらに含む、
請求項１１から１４の何れか一項に記載の端末。
【請求項１６】
前記送信機はさらに、
前記基地局に、前記複数の第２の予め設定されたアンテナのランク情報、プリコーディング行列インジケータ、及びチャネル品質インジケータを送信する、
請求項１１から１５の何れか一項に記載の端末。
【請求項１７】
前記送信機はさらに、
前記基地局に、前記複数の第２の予め設定されたアンテナのランク情報、プリコーディング行列インジケータ、及びチャネル品質インジケータを送信し、前記基地局に、前記複数の第１の予め設定されたアンテナのランク情報、プリコーディング行列インジケータ、及びチャネル品質インジケータを送信する、
請求項１１から１５の何れか一項に記載の端末。
【請求項１８】
前記送信機は、
前記基地局に、前記複数の第２の予め設定されたアンテナのランク情報と、前記複数の第１の予め設定されたアンテナ及び前記複数の第２の予め設定されたアンテナのプリコーディング行列インジケータの差分コードブックの構成と、前記複数の第２の予め設定されたアンテナのチャネル品質インジケータとを送信し、前記基地局に、前記複数の第１の予め設定されたアンテナのランク情報、前記プリコーディング行列インジケータ、及びチャネル品質インジケータを送信する、又は、
前記基地局に、前記複数の第２の予め設定されたアンテナのランク情報と、前記複数の第２の予め設定されたアンテナのプリコーディング行列インジケータと、前記複数の第１の予め設定されたアンテナ及び前記複数の第２の予め設定されたアンテナの差分チャネル品質インジケータとを送信し、前記基地局に、前記複数の第１の予め設定されたアンテナのランク情報、プリコーディング行列インジケータ、及びチャネル品質インジケータを送信する、若しくは、
前記基地局に、前記複数の第２の予め設定されたアンテナのランク情報と、前記複数の第１の予め設定されたアンテナ及び前記複数の第２の予め設定されたアンテナの複数のプリコーディング行列インジケータの差分コードブックの構成と、前記複数の第１の予め設定されたアンテナ及び前記複数の第２の予め設定されたアンテナの差分チャネル品質インジケータとを送信し、前記基地局に、前記複数の第１の予め設定されたアンテナのランク情報、前記プリコーディング行列インジケータ、及びチャネル品質インジケータを送信する、
請求項１１から１５の何れか一項に記載の端末。
【発明の詳細な説明】
【技術分野】
【０００１】
本願発明は、通信分野に関し、特に、チャネル情報を取得するための方法、装置、及びシステムに関する。
【背景技術】
【０００２】
ＬＴＥ（Ｌｏｎｇ  Ｔｅｒｍ  Ｅｖｏｌｕｔｉｏｎ，ロングタームエボリューション、略してＬＴＥと称される）アドバンスト標準化サブグループ第３４回会議において、複数のセルユーザの合計スループットレート及び平均スループットレートをさらに向上させるために、第４世代システム向け進化型無線インターフェイス技術（Ａｄｖａｎｃｅｄ  Ｒａｄｉｏ  Ｉｎｔｅｒｆａｃｅ  ＴｅｃｈｎｏｌｏｇＩｅｓ  ｆｏｒ  ４Ｇ  ＳｙｓＴｅｍｓ，略してＡＲＴＩＳＴ４Ｇと称される）に対して特別に研究を行う必要があると提案されている。動的３次元（Ｔｈｒｅｅ  Ｄｉｍｅｎｓｉｏｎｓ，略して３Ｄと称される）ビーム形成技術及び３Ｄマルチアンテナ技術が、複数のセル周縁ユーザのスループットレートと、複数のセルユーザの合計スループットレート及び平均スループットレートとを向上させるための重要な技術であり、産業の注目を大いに引いている。
【０００３】
既存の能動アンテナシステムでは、３Ｄビーム形成が実行され得る。（互いに交差して配列される複数のアンテナが（正４５度と負４５度との角度で２つの偏波方向を持つ）２重偏波アンテナであり、平行して配列される複数のアンテナが（１つの偏波方向のみを持つ）共偏波アンテナである）図１を参照する。能動アンテナシステムの１つの形態が２次元（Ｔｗｏ  Ｄｉｍｅｎｓｉｏｎｓ，略して２Ｄと称される）平面アンテナアレイであり、当該アンテナアレイは、水平次元と垂直次元との両方を有する。複数のパイロット信号を送信することによって、基地局が、端末によりフィードバックされる、２Ｄアンテナアレイのチャネル状態情報を得る。これにより、ビームが３Ｄ空間でターゲットユーザへ照準し、信号受信電力がさらに増し、信号対干渉雑音比が増し、システム全体のスループットがさらに向上させられる。
【０００４】
先述の３Ｄビーム形成技術を実行する工程において、従来技術では、アンテナアレイに提供されるアンテナの数が比較的多いと、パイロット信号のオーバヘッドの増加をもたらしてしまうことを、本願発明者が発見した。
【発明の概要】
【０００５】
本願発明の複数の実施形態では、複数のパイロット信号のオーバヘッドを低減することができる、チャネル情報を取得するための方法、装置、及びシステムを提供する。
【０００６】
先述の目的を達成するために、以下の複数の技術的解決手段が、本願発明の複数の実施形態に適用される。
【０００７】
第１の態様に従って、チャネル情報を取得するための方法が提供される。当該方法は、基地局により、複数のパイロット信号へ、アンテナアレイにおける複数の第１の予め設定されたアンテナをマッピングする段階と、端末に、複数のパイロット信号とアンテナ構成情報とを送信する段階であって、アンテナ構成情報は、複数の第１の予め設定されたアンテナのパターン情報と複数の第２の予め設定されたアンテナのパターン情報とを含む、段階と、端末によりフィードバックされる、複数の第２の予め設定されたアンテナのチャネル状態情報を受信する段階とを備え、複数の第１の予め設定されたアンテナ及び複数の第２の予め設定されたアンテナは同じアンテナアレイにあり、複数の第１の予め設定されたアンテナは、複数の第２の予め設定されたアンテナとは異なるものである。
【０００８】
第１の態様に関連して、第１の可能な実施方式では、アンテナアレイが二重偏波アンテナアレイである場合、複数の第１の予め設定されたアンテナは、少なくとも２つのアンテナが同じ行になく、少なくとも２つのアンテナが同じ列になく、少なくとも２つのアンテナが異なる偏波方向にあることを満たす。
【０００９】
第１の態様の第１の可能な実施方式に関連して、第２の可能な実施方式では、複数のアンテナが対となり、各対の複数のアンテナが同じ行及び同じ列にあり、全てのアンテナ対が異なる行及び異なる列にあることを、複数の第１の予め設定されたアンテナはさらに満たす。
【００１０】
第１の態様の第１の可能な実施方式に関連して、第３の可能な実施方式では、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。
【００１１】
第１の態様の第１の可能な実施方式に関連して、第４の可能な実施方式では、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、複数のアンテナが対となり、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。
【００１２】
第１の態様の第１の可能な実施方式に関連して、第５の可能な実施方式では、同じ行及び同じ列においてアンテナが１つの偏波方向のみにあり、同じ列の複数のアンテナがそれぞれの間に同じ数の行の間隔を有し、同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列においてアンテナが１つの偏波方向のみにあり、同じ行の複数のアンテナがそれぞれの間に同じ数の列の間隔を有し、同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【００１３】
第１の態様の第１の可能な実施方式に関連して、第６の可能な実施方式では、複数の第１の予め設定されたアンテナを含むアンテナアレイの４つのコーナのそれぞれにおける複数のアンテナが対となっていることを、複数の第１の予め設定されたアンテナはさらに満たす。
【００１４】
第１の態様の第１の可能な実施方式に関連して、第７の可能な実施方式では、複数の第１の予め設定されたアンテナを含むアンテナアレイの４つのコーナのそれぞれには１つのアンテナがあり、かつ、２つの偏波方向におけるアンテナの数が同じであることを、複数の第１の予め設定されたアンテナはさらに満たす。
【００１５】
第１の態様の第１の可能な実施方式に関連して、第８の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。
【００１６】
第１の態様の第１の可能な実施方式に関連して、第９の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。
【００１７】
第１の態様の第１の可能な実施方式に関連して、第１０の可能な実施方式では、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される行が同じ数の列の等しい間隔で他の偏波方向の複数のアンテナを含むことを、複数の第１の予め設定されたアンテナはさらに満たす。
【００１８】
第１の態様に関連して、第１１の可能な実施方式では、アンテナアレイが二重偏波アンテナアレイである場合、複数の第１の予め設定されたアンテナは、少なくとも２つのアンテナが同じ行になく、少なくとも２つのアンテナが同じ列にないことを満たす。
【００１９】
第１の態様の第１１の可能な実施方式に関連して、第１２の可能な実施方式では、複数の第１の予め設定されたアンテナは、全てのアンテナが異なる行及び異なる列にあることをさらに満たす。
【００２０】
第１の態様の第１１の可能な実施方式に関連して、第１３の可能な実施方式では、同じ列の複数のアンテナがそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【００２１】
第１の態様の第１１の可能な実施方式に関連して、第１４の可能な実施方式では、複数の第１の予め設定されたアンテナを含むアンテナアレイの４つのコーナのそれぞれには１つのアンテナがあることを、複数の第１の予め設定されたアンテナはさらに満たす。
【００２２】
第１の態様の第１１の可能な実施方式に関連して、第１５の可能な実施方式では、１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。
【００２３】
第１の態様及び第１の態様の第１から第１５の可能な実施方式に関連して、第１６の可能な実施方式では、複数の第２の予め設定されたアンテナが複数の第１の予め設定されたアンテナを含む場合、アンテナ構成情報は、複数の第２の予め設定されたアンテナにおける複数の第１の予め設定されたアンテナのパターン情報を含む。
【００２４】
第１の態様及び第１の態様の第１から第１５の可能な実施方式に関連して、第１７の可能な実施方式では、複数の第２の予め設定されたアンテナが複数の第１の予め設定されたアンテナを含まない場合、アンテナ構成情報は、アンテナアレイにおける複数の第１の予め設定されたアンテナのパターン情報と、アンテナアレイにおける複数の第２の予め設定されたアンテナのパターン情報とを含む。
【００２５】
第１の態様又は第１の態様の複数の可能な実施方式のうちの何れか１つに関連して、第１８の可能な実施方式では、アンテナ構成情報は、複数のアンテナの間の間隔及びそれらの複数のアンテナの間の複数の相関係数のうちの少なくとも１つを含む。
【００２６】
第２の態様によれば、チャネル情報を取得するための取得の方法が提供され、当該方法は、端末により、基地局によって送信される複数のパイロット信号及びアンテナ構成情報を取得する段階であって、複数のパイロット信号は、アンテナアレイにおける複数の第１の予め設定されたアンテナがマッピングされる複数のパイロット信号であり、アンテナ構成情報は、複数の第１の予め設定されたアンテナのパターン情報と複数の第２の予め設定されたアンテナのパターン情報とを含む、段階と、端末により、複数のパイロット信号とアンテナ構成情報とに従って計算を用いて複数の第２の予め設定されたアンテナのチャネル状態情報を得る段階と、端末により、基地局に、複数の第２の予め設定されたアンテナのチャネル状態情報を送信する段階とを備え、複数の第１の予め設定されたアンテナ及び複数の第２の予め設定されたアンテナは、同じアンテナアレイにあり、複数の第１の予め設定されたアンテナは、複数の第２の予め設定されたアンテナとは異なるものである。
【００２７】
第２の態様に関連して、第１の可能な実施方式では、アンテナアレイが二重偏波アンテナアレイである場合、複数の第１の予め設定されたアンテナは、少なくとも２つのアンテナが同じ行になく、少なくとも２つのアンテナが同じ列になく、少なくとも２つのアンテナが異なる偏波方向にあることを満たす。
【００２８】
第２の態様の第１の可能な実施方式に関連して、第２の可能な実施方式では、複数のアンテナが対となり、各対の複数のアンテナが同じ行及び同じ列にあり、全てのアンテナ対が異なる行及び異なる列にあることを、複数の第１の予め設定されたアンテナはさらに満たす。
【００２９】
第２の態様の第１の可能な実施方式に関連して、第３の可能な実施方式では、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。
【００３０】
第２の態様の第１の可能な実施方式に関連して、第４の可能な実施方式では、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、複数のアンテナが対となり、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。
【００３１】
第２の態様の第１の可能な実施方式に関連して、第５の可能な実施方式では、同じ行及び同じ列におり、アンテナが１つの偏波方向のみにあり、同じ列の複数のアンテナがそれぞれの間に同じ数の行の間隔を有し、同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列におり、アンテナが１つの偏波方向のみにあり、同じ行の複数のアンテナがそれぞれの間に同じ数の列の間隔を有し、同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【００３２】
第２の態様の第１の可能な実施方式に関連して、第６の可能な実施方式では、複数の第１の予め設定されたアンテナを含むアンテナアレイの４つのコーナのそれぞれにおける複数のアンテナが対となっていることを、複数の第１の予め設定されたアンテナはさらに満たす。
【００３３】
第２の態様の第１の可能な実施方式に関連して、第７の可能な実施方式では、複数の第１の予め設定されたアンテナを含むアンテナアレイの４つのコーナのそれぞれには１つのアンテナがあり、かつ、２つの偏波方向におけるアンテナの数が同じであることを、複数の第１の予め設定されたアンテナはさらに満たす。
【００３４】
第２の態様の第１の可能な実施方式に関連して、第８の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。
【００３５】
第２の態様の第１の可能な実施方式に関連して、第９の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が同じ数の列の等しい間隔で他の偏波方向の複数のアンテナを含むことを、複数の第１の予め設定されたアンテナはさらに満たす。
【００３６】
第２の態様の第１の可能な実施方式に関連して、第１０の可能な実施方式では、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される行が同じ数の列の等しい間隔で他の偏波方向の複数のアンテナを含むことを、複数の第１の予め設定されたアンテナはさらに満たす。
【００３７】
第２の態様に関連して、第１１の可能な実施方式では、アンテナアレイが共偏波アンテナアレイである場合、予め設定されたアンテナの数は、少なくとも２つのアンテナが同じ行になく、少なくとも２つのアンテナが同じ列にないことを満たす。
【００３８】
第２の態様の第１１の可能な実施方式に関連して、第１２の可能な実施方式では、複数の第１の予め設定されたアンテナは、全てのアンテナが異なる行及び異なる列にあることをさらに満たす。
【００３９】
第２の態様の第１１の可能な実施方式に関連して、第１３の可能な実施方式では、同じ列の複数のアンテナがそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【００４０】
第２の態様の第１１の可能な実施方式に関連して、第１４の可能な実施方式では、複数の第１の予め設定されたアンテナを含むアンテナアレイの４つのコーナのそれぞれには１つのアンテナがあることを、複数の第１の予め設定されたアンテナはさらに満たす。
【００４１】
第２の態様の第１１の可能な実施方式に関連して、第１６の可能な実施方式では、１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。
【００４２】
第２の態様又は第２の態様の第１から第１６の可能な実施方式のうちの何れか１つに関連して、第１７の可能な実施方式では、複数の第２の予め設定されたアンテナが複数の第１の予め設定されたアンテナを含む場合、アンテナ構成情報は、複数の第２の予め設定されたアンテナにおける複数の第１の予め設定されたアンテナのパターン情報を含む。
【００４３】
第２の態様又は第２の態様の第１から第１６の可能な実施方式のうちの何れか１つに関連して、第１８の可能な実施方式では、複数の第２の予め設定されたアンテナが複数の第１の予め設定されたアンテナを含まない場合、アンテナ構成情報は、アンテナアレイにおける複数の第１の予め設定されたアンテナのパターン情報と、アンテナアレイにおける複数の第２の予め設定されたアンテナのパターン情報とを含む。
【００４４】
第２の態様又は第２の態様の第１から第１８の可能な実施方式のうちの何れか１つに関連して、第１９の可能な実施方式では、アンテナ構成情報は、複数のアンテナの間の間隔及びそれらの複数のアンテナの間の複数の相関係数のうちの少なくとも１つをさらに含む。
【００４５】
第２の態様又は第２の態様の第１から第１９の可能な実施方式のうちの何れか１つに関連して、第２０の可能な実施方式では、端末により、複数のパイロット信号とアンテナ構成情報とに従ってアンテナアレイのチャネル状態情報を計算する段階は、複数のパイロット信号から、複数の第１の予め設定されたアンテナに対応するチャネル行列を取得する段階と、アンテナ構成情報から、複数の第１の予め設定されたアンテナと複数の第２の予め設定されたアンテナとの間の位置関係を取得する段階と、複数の第２の予め設定されたアンテナのチャネル状態情報を得るよう、複数の第１の予め設定されたアンテナに対応するチャネル行列と複数の第１の予め設定されたアンテナと複数の第２の予め設定されたアンテナとの間の位置関係とに従って補間演算を実行する段階とを含む。
【００４６】
第２の態様又は第２の態様の第１から第２０の可能な実施方式のうちの何れか１つに関連して、第２１の可能な実施方式では、基地局に、複数の第２の予め設定されたアンテナのチャネル状態情報を送信する段階は、基地局に、複数の第２の予め設定されたアンテナのランク情報、プリコーディング行列インジケータ、及びチャネル品質インジケータを送信する段階を具体的に含む。
【００４７】
第２の態様又は第２の態様の第１から第２０の可能な実施方式のうちの何れか１つに関連して、第２２の可能な実施方式では、基地局に、複数の第２の予め設定されたアンテナのチャネル状態情報を送信する段階は、基地局に、複数の第２の予め設定されたアンテナのランク情報、プリコーディング行列インジケータ、及びチャネル品質インジケータを送信し、基地局に、複数の第１の予め設定されたアンテナのランク情報、プリコーディング行列インジケータ、及びチャネル品質インジケータを送信する段階を具体的に含む。
【００４８】
第２の態様又は第２の態様の第１から第２０の可能な実施方式のうちの何れか１つに関連して、第２３の可能な実施方式では、基地局に、複数の第２の予め設定されたアンテナのチャネル状態情報を送信する段階は、基地局に、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第２の予め設定されたアンテナのチャネル品質インジケータとを送信し、基地局に、複数の第１の予め設定されたアンテナのランク情報、プリコーディング行列インジケータ、及びチャネル品質インジケータを送信する段階、又は、基地局に、複数の第２の予め設定されたアンテナのランク情報と、複数の第２の予め設定されたアンテナのプリコーディング行列インジケータと、複数の第１の予め設定されたアンテナ及び複数の第２の予め設定されたアンテナの差分チャネル品質インジケータとを送信し、基地局に、複数の第１の予め設定されたアンテナのランク情報、プリコーディング行列インジケータ、及びチャネル品質インジケータを送信する段階、若しくは、基地局に、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第１の予め設定されたアンテナ及び第２の予め設定されたアンテナの差分チャネル品質インジケータとを送信し、基地局に、複数の第１の予め設定されたアンテナのランク情報、プリコーディング行列インジケータ、及びチャネル品質インジケータを送信する段階を具体的に含む。
【００４９】
第３の態様によれば、基地局が提供され、当該基地局は、複数のパイロット信号へ、アンテナアレイにおける複数の第１の予め設定されたアンテナをマッピングするよう構成されるマッピングユニットと、端末に、マッピングユニットにマッピングされた複数のパイロット信号と、アンテナ構成情報とを送信するよう構成される送信ユニットであって、アンテナ構成情報は、複数の第１の予め設定されたアンテナのパターン情報と複数の第２の予め設定されたアンテナのパターン情報とを含む、送信ユニットと、端末によりフィードバックされる、複数の第２の予め設定されたアンテナのチャネル状態情報を受信するよう構成される受信ユニットとを備え、複数の第１の予め設定されたアンテナ及び複数の第２の予め設定されたアンテナは、同じアンテナアレイにあり、複数の第１の予め設定されたアンテナは、複数の第２の予め設定されたアンテナとは異なるものである。
【００５０】
第３の態様に関連して、第１の可能な実施方式では、アンテナアレイが二重偏波アンテナアレイである場合、マッピングユニットの複数の第１の予め設定されたアンテナは、少なくとも２つのアンテナが同じ行になく、少なくとも２つのアンテナが同じ列になく、少なくとも２つのアンテナが異なる偏波方向にあることを満たす。
【００５１】
第３の態様の第１の可能な実施方式に関連して、第２の可能な実施方式では、複数のアンテナが対となり、各対の複数のアンテナが同じ行及び同じ列にあり、全てのアンテナ対が異なる行及び異なる列にあることを、複数の第１の予め設定されたアンテナはさらに満たす。
【００５２】
第３の態様の第１の可能な実施方式に関連して、第３の可能な実施方式では、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。
【００５３】
第３の態様の第１の可能な実施方式に関連して、第４の可能な実施方式では、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、複数のアンテナが対となり、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。
【００５４】
第３の態様の第１の可能な実施方式に関連して、第５の可能な実施方式では、同じ行及び同じ列においてアンテナが１つの偏波方向のみにあり、同じ列の複数のアンテナがそれぞれの間に同じ数の行の間隔を有し、その同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列においてアンテナが１つの偏波方向のみにあり、同じ行の複数のアンテナがそれぞれの間に同じ数の列の間隔を有し、その同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【００５５】
第３の態様の第１の可能な実施方式に関連して、第６の可能な実施方式では、複数の第１の予め設定されたアンテナを含むアンテナアレイの４つのコーナのそれぞれにおける複数のアンテナが対となっていることを、複数の第１の予め設定されたアンテナはさらに満たす。
【００５６】
第３の態様の第１の可能な実施方式に関連して、第７の可能な実施方式では、複数の第１の予め設定されたアンテナを含むアンテナアレイの４つのコーナのそれぞれには１つのアンテナがあり、かつ、２つの偏波方向におけるアンテナの数が同じであることを、複数の第１の予め設定されたアンテナはさらに満たす。
【００５７】
第３の態様の第１の可能な実施方式に関連して、第８の可能な実施方式では、一対のアンテナのみが存在し、当該対の複数のアンテナ対が同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。
【００５８】
第３の態様の第１の可能な実施方式に関連して、第９の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。
【００５９】
第３の態様の第１の可能な実施方式に関連して、第１０の可能な実施方式では、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。
【００６０】
第３の態様に関連して、第１１の可能な実施方式では、アンテナアレイが共偏波アンテナアレイである場合、予め設定されたアンテナの数は、少なくとも２つのアンテナが同じ行になく、少なくとも２つのアンテナが同じ列にないことを満たす。
【００６１】
第３の態様の第１１の可能な実施方式に関連して、第１２の可能な実施方式では、複数の第１の予め設定されたアンテナは、全てのアンテナが異なる行及び異なる列にあることをさらに満たす。
【００６２】
第３の態様の第１１の可能な実施方式に関連して、第１３の可能な実施方式では、同じ列の複数のアンテナがそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【００６３】
第３の態様の第１１の可能な実施方式に関連して、第１４の可能な実施方式では、複数の第１の予め設定されたアンテナを含むアンテナアレイの４つのコーナのそれぞれには１つのアンテナがあることを、複数の第１の予め設定されたアンテナはさらに満たす。
【００６４】
第３の態様の第１１の可能な実施方式に関連して、第１５の可能な実施方式では、１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。
【００６５】
第３の態様及び第３の態様の第１から第１５の可能な実施方式に関連して、第１６の可能な実施方式では、複数の第２の予め設定されたアンテナが複数の第１の予め設定されたアンテナを含む場合、送信ユニットにより送信されたアンテナ構成情報は、複数の第２の予め設定されたアンテナにおける複数の第１の予め設定されたアンテナのパターン情報を含む。
【００６６】
第３の態様及び第３の態様の第１から第１５の可能な実施方式に関連して、第１７の可能な実施方式では、複数の第２の予め設定されたアンテナが複数の第１の予め設定されたアンテナを含まない場合、送信ユニットにより送信されたアンテナ構成情報は、アンテナアレイにおける複数の第１の予め設定されたアンテナのパターン情報と、アンテナアレイにおける複数の第２の予め設定されたアンテナのパターン情報とを含む。
【００６７】
第３の態様又は第３の態様の複数の可能な実施方式のうちの何れか１つに関連して、第１８の可能な実施方式では、送信ユニットにより送信されたアンテナ構成情報は、複数のアンテナの間の間隔及びそれらの複数のアンテナ間の複数の相関係数のうちの少なくとも１つをさらに含む。
【００６８】
第４の態様によれば、端末が提供され、当該端末は、基地局により送信される複数のパイロット信号及びアンテナ構成情報を受信するよう構成される受信ユニットであって、複数のパイロット信号は、アンテナアレイにおける複数の第１の予め設定されたアンテナがマッピングされる複数のパイロット信号であり、アンテナ構成情報は、複数の第１の予め設定されたアンテナのパターン情報と複数の第２の予め設定されたアンテナのパターン情報とを含む、受信ユニットと、受信ユニットにより受信される複数のパイロット信号及びアンテナ構成情報に従って計算を用いて複数の第２の予め設定されたアンテナのチャネル状態情報を得るよう構成される取得ユニットと、基地局に、取得ユニットにより取得される、複数の第２の予め設定されたアンテナのチャネル状態情報を送信するよう構成される送信ユニットとを備え、複数の第１の予め設定されたアンテナ及び複数の第２の予め設定されたアンテナは、同じアンテナアレイにあり、複数の第１の予め設定されたアンテナは、複数の第２の予め設定されたアンテナとは異なるものである。
【００６９】
第４の態様に関連して、第１の可能な実施方式では、アンテナアレイが二重偏波アンテナアレイである場合、複数の第１の予め設定されたアンテナは、少なくとも２つのアンテナが同じ行になく、少なくとも２つのアンテナが同じ列になく、少なくとも２つのアンテナが異なる偏波方向にあることを満たす。
【００７０】
第４の態様の第１の可能な実施方式に関連して、第２の可能な実施方式では、複数のアンテナが対となり、各対の複数のアンテナが同じ行及び同じ列にあり、全てのアンテナ対が異なる行及び異なる列にあることを、複数の第１の予め設定されたアンテナはさらに満たす。
【００７１】
第４の態様の第１の可能な実施方式に関連して、第３の可能な実施方式では、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。
【００７２】
第４の態様の第１の可能な実施方式に関連して、第４の可能な実施方式では、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、複数のアンテナが対となり、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。
【００７３】
第４の態様の第１の可能な実施方式に関連して、第５の可能な実施方式では、同じ行及び同じ列においてアンテナが１つの偏波方向のみにあり、同じ列の複数のアンテナがそれぞれの間に同じ数の行の間隔を有し、その同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列においてアンテナが１つの偏波方向のみにあり、同じ行の複数のアンテナがそれぞれの間に同じ数の列の間隔を有し、その同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【００７４】
第４の態様の第１の可能な実施方式に関連して、第６の可能な実施方式では、複数の第１の予め設定されたアンテナを含むアンテナアレイの４つのコーナのそれぞれにおける複数のアンテナが対となっていることを、複数の第１の予め設定されたアンテナはさらに満たす。
【００７５】
第４の態様の第１の可能な実施方式に関連して、第７の可能な実施方式では、複数の第１の予め設定されたアンテナを含むアンテナアレイの４つのコーナのそれぞれには１つのアンテナがあり、２つの偏波方向におけるアンテナの数が同じであることを、複数の第１の予め設定されたアンテナはさらに満たす。
【００７６】
第４の態様の第１の可能な実施方式に関連して、第８の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。
【００７７】
第４の態様の第１の可能な実施方式に関連して、第９の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。
【００７８】
第４の態様の第１の可能な実施方式に関連して、第１０の可能な実施方式では、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される列が同じ数の行の等しい間隔で他の偏波方向の複数のアンテナを含むことを、複数の第１の予め設定されたアンテナはさらに満たす。
【００７９】
第４の態様に関連して、第１１の可能な実施方式では、アンテナアレイが共偏波アンテナアレイである場合、予め設定されたアンテナの数は、少なくとも２つのアンテナが同じ行になく、少なくとも２つのアンテナが同じ列にないことを満たす。
【００８０】
第４の態様の第１１の可能な実施方式に関連して、第１２の可能な実施方式では、複数の第１の予め設定されたアンテナは、全てのアンテナが異なる行及び異なる列にあることをさらに満たす。
【００８１】
第４の態様の第１１の可能な実施方式に関連して、第１３の可能な実施方式では、同じ列の複数のアンテナがそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【００８２】
第４の態様の第１１の可能な実施方式に関連して、第１４の可能な実施方式では、複数の第１の予め設定されたアンテナを含むアンテナアレイの４つのコーナのそれぞれには１つのアンテナがあることを、複数の第１の予め設定されたアンテナはさらに満たす。
【００８３】
第４の態様の第１１の可能な実施方式に関連して、第１６の可能な実施方式では、１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。
【００８４】
第４の態様又は第４の態様の第１から第１６の可能な実施方式のうちの何れか１つに関連して、第１７の可能な実施方式では、複数の第２の予め設定されたアンテナが複数の第１の予め設定されたアンテナを含む場合、受信ユニットにより受信されるアンテナ構成情報は、複数の第２の予め設定されたアンテナにおける複数の第１の予め設定されたアンテナのパターン情報を含む。
【００８５】
第４の態様又は第４の態様の第１から第１６の可能な実施方式のうちの何れか１つに関連して、第１８の可能な実施方式では、複数の第２の予め設定されたアンテナが複数の第１の予め設定されたアンテナを含まない場合、受信ユニットにより受信されるアンテナ構成情報は、アンテナアレイにおける複数の第１の予め設定されたアンテナのパターン情報と、アンテナアレイにおける複数の第２の予め設定されたアンテナのパターン情報とを含む。
【００８６】
第４の態様又は第４の態様の第１から第１８の可能な実施方式のうちの何れか１つに関連して、第１９の可能な実施方式では、受信ユニットにより受信されるアンテナ構成情報は、複数のアンテナの間の間隔及びそれらの複数のアンテナの間の複数の相関係数のうちの少なくとも１つをさらに含む。
【００８７】
第４の態様又は第４の態様の第１から第１９の可能な実施方式のうちの何れか１つに関連して、第２０の可能な実施方式では、取得ユニットは、複数のパイロット信号から、複数の第１の予め設定されたアンテナに対応するチャネル行列を取得するよう構成される第１の取得サブユニットと、アンテナ構成情報から、複数の第１の予め設定されたアンテナ及び複数の第２の予め設定されたアンテナの間の位置関係を取得するよう構成される第２の取得サブユニットと、複数の第２の予め設定されたアンテナのチャネル状態情報を得るよう、第１の取得サブユニットにより取得される、複数の第１の予め設定されたアンテナに対応するチャネル行列と、第２の取得サブユニットにより取得される、複数の第１の予め設定されたアンテナ及び複数の第２の予め設定されたアンテナの間の位置関係とに従って補間演算を実行するよう構成される演算サブユニットとを含む。
【００８８】
第４の態様又は第４の態様の第１から第２０の可能な実施方式のうちの何れか１つに関連して、第２１の可能な実施方式では、送信ユニットは、基地局に、複数の第２の予め設定されたアンテナのランク情報、プリコーディング行列インジケータ、及びチャネル品質インジケータを送信するよう具体的に構成される。
【００８９】
第４の態様又は第４の態様の第１から第２０の可能な実施方式のうちの何れか１つに関連して、第２２の可能な実施方式では、送信ユニットは、基地局に、複数の第２の予め設定されたアンテナのランク情報、プリコーディング行列インジケータ、及びチャネル品質インジケータを送信し、基地局に、複数の第１の予め設定されたアンテナのランク情報、プリコーディング行列インジケータ、及びチャネル品質インジケータを送信するよう具体的に構成される。
【００９０】
第４の態様又は第４の態様の第１から第２０の可能な実施方式のうちの何れか１つに関連して、第２３の可能な実施方式では、送信ユニットは、基地局に、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第２の予め設定されたアンテナのチャネル品質インジケータとを送信し、基地局に、複数の第１の予め設定されたアンテナのランク情報、プリコーディング行列インジケータ、及びチャネル品質インジケータを送信する、又は、基地局に、複数の第２の予め設定されたアンテナのランク情報と、複数の第２の予め設定されたアンテナのプリコーディング行列インジケータと、複数の第１の予め設定されたアンテナ及び複数の第２の予め設定されたアンテナの差分チャネル品質インジケータとを送信し、基地局に、複数の第１の予め設定されたアンテナのランク情報、プリコーディング行列インジケータ、及びチャネル品質インジケータを送信する、若しくは、基地局に、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第１の予め設定されたアンテナ及び複数の第２の予め設定されたアンテナの差分チャネル品質インジケータとを送信し、基地局に、複数の第１の予め設定されたアンテナのランク情報、プリコーディング行列インジケータ、及びチャネル品質インジケータを送信するよう具体的に構成される。
【００９１】
第５の態様によれば、基地局が提供され、当該基地局は、プロセッサと、受信機と、送信機と、メモリと、バスとを備え、プロセッサと、受信機と、送信機と、メモリとは、バスを用いて互いに接続され、メモリは、プロセッサにより処理されるべきデータを格納するよう構成され、プロセッサは、複数のパイロット信号へ、アンテナアレイにおける複数の第１の予め設定されたアンテナをマッピングするよう構成され、送信機は、端末に、複数のパイロット信号とアンテナ構成情報とを送信するよう構成され、アンテナ構成情報は、複数の第１の予め設定されたアンテナのパターン情報と、複数の第２の予め設定されたアンテナのパターン情報とを含み、受信機は、端末によりフィードバックされる、複数の第２の予め設定されたアンテナのチャネル状態情報を受信するよう構成され、複数の第１の予め設定されたアンテナ及び複数の第２の予め設定されたアンテナは同じアンテナアレイにあり、複数の第１の予め設定されたアンテナは、複数の第２の予め設定されたアンテナと異なるものである。
【００９２】
第５の態様に関連して、第１の可能な実施方式では、アンテナアレイが二重偏波アンテナアレイである場合、複数の第１の予め設定されたアンテナは、少なくとも２つのアンテナが同じ行になく、少なくとも２つのアンテナが同じ列になく、少なくとも２つのアンテナが異なる偏波方向にあることを満たす。
【００９３】
第５の態様の第１の可能な実施方式に関連して、第２の可能な実施方式では、複数のアンテナが対となり、各対の複数のアンテナが同じ行及び同じ列にあり、全てのアンテナ対が異なる行及び異なる列にあることを、複数の第１の予め設定されたアンテナはさらに満たす。
【００９４】
第５の態様の第１の可能な実施方式に関連して、第３の可能な実施方式では、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。
【００９５】
第５の態様の第１の可能な実施方式に関連して、第４の可能な実施方式では、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、複数のアンテナが対となり、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。
【００９６】
第５の態様の第１の可能な実施方式に関連して、第５の可能な実施方式では、同じ行及び同じ列においてアンテナが１つの偏波方向のみにあり、同じ列の複数のアンテナがそれぞれの間に同じ数の行の間隔を有し、その同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列においてアンテナが１つの偏波方向のみにあり、同じ行の複数のアンテナがそれぞれの間に同じ数の列の間隔を有し、その同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【００９７】
第５の態様の第１の可能な実施方式に関連して、第６の可能な実施方式では、複数の第１の予め設定されたアンテナを含むアンテナアレイの４つのコーナのそれぞれにおける複数のアンテナが対となっていることを、複数の第１の予め設定されたアンテナはさらに満たす。
【００９８】
第５の態様の第１の可能な実施方式に関連して、第７の可能な実施方式では、複数の第１の予め設定されたアンテナを含むアンテナアレイの４つのコーナのそれぞれには１つのアンテナがあり、かつ、２つの偏波方向におけるアンテナの数が同じであることを、複数の第１の予め設定されたアンテナはさらに満たす。
【００９９】
第５の態様の第１の可能な実施方式に関連して、第８の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。
【０１００】
第５の態様の第１の可能な実施方式に関連して、第９の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が同じ数の列の等しい間隔で他の偏波方向の複数のアンテナを含むことを、複数の第１の予め設定されたアンテナはさらに満たす。
【０１０１】
第５の態様の第１の可能な実施方式に関連して、第１０の可能な実施方式では、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される行が同じ数の列の等しい間隔で他の偏波方向の複数のアンテナを含むことを、複数の第１の予め設定されたアンテナはさらに満たす。
【０１０２】
第５の態様に関連して、第１１の可能な実施方式では、アンテナアレイが共偏波アンテナアレイである場合、予め設定されたアンテナの数は、少なくとも２つのアンテナが同じ行になく、少なくとも２つのアンテナが同じ列にないことを満たす。
【０１０３】
第５の態様の第１１の可能な実施方式に関連して、第１２の可能な実施方式では、複数の第１の予め設定されたアンテナは、全てのアンテナが異なる行及び異なる列にあることをさらに満たす。
【０１０４】
第５の態様の第１１の可能な実施方式に関連して、第１３の可能な実施方式では、同じ列の複数のアンテナがそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【０１０５】
第５の態様の第１１の可能な実施方式に関連して、第１４の可能な実施方式では、複数の第１の予め設定されたアンテナを含むアンテナアレイの４つのコーナのそれぞれには１つのアンテナがあることを、複数の第１の予め設定されたアンテナはさらに満たす。
【０１０６】
第５の態様の第１１の可能な実施方式に関連して、第１５の可能な実施方式では、１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。
【０１０７】
第５の態様及び第５の態様の第１から第１５の可能な実施方式に関連して、第１６の可能な実施方式では、複数の第２の予め設定されたアンテナが複数の第１の予め設定されたアンテナを含む場合、送信機により送信されたアンテナ構成情報は、複数の第２の予め設定されたアンテナにおける複数の第１の予め設定されたアンテナのパターン情報を含む。
【０１０８】
第５の態様及び第５の態様の第１から第１５の可能な実施方式に関連して、第１７の可能な実施方式では、複数の第２の予め設定されたアンテナが複数の第１の予め設定されたアンテナを含まない場合、送信機により送信されたアンテナ構成情報は、アンテナアレイにおける複数の第１の予め設定されたアンテナのパターン情報と、アンテナアレイにおける複数の第２の予め設定されたアンテナのパターン情報とを含む。
【０１０９】
第５の態様又は第５の態様の複数の可能な実施方式のうちの何れか１つに関連して、第１８の可能な実施方式では、送信機により送信されたアンテナ構成情報は、複数のアンテナの間の間隔及びそれらの複数のアンテナの間の複数の相関係数のうちの少なくとも１つをさらに含む。
【０１１０】
第６の態様によれば、端末が提供され、当該端末は、プロセッサと、受信機と、送信機と、メモリと、バスとを備え、プロセッサと、受信機と、送信機と、メモリとは、バスを用いて互いに接続され、メモリは、プロセッサにより処理されるべきデータを格納するよう構成され、受信機は、基地局により送信される複数のパイロット信号及びアンテナ構成情報を受信するよう構成され、複数のパイロット信号は、アンテナアレイにおける複数の第１の予め設定されたアンテナがマッピングされる複数のパイロット信号であり、アンテナ構成情報は、複数の第１の予め設定されたアンテナのパターン情報と、複数の第２の予め設定されたアンテナのパターン情報とを含み、プロセッサは、複数のパイロット信号とアンテナ構成情報とに従って計算を用いて複数の第２の予め設定されたアンテナのチャネル状態情報を得るよう構成され、送信機は、基地局に、複数の第２の予め設定されたアンテナのチャネル状態情報を送信するよう構成され、複数の第１の予め設定されたアンテナ及び複数の第２の予め設定されたアンテナは、同じアンテナアレイにあり、複数の第１の予め設定されたアンテナは、複数の第２の予め設定されたアンテナとは異なるものである。
【０１１１】
第６の態様に関連して、第１の可能な実施方式では、アンテナアレイが二重偏波アンテナアレイである場合、複数の第１の予め設定されたアンテナは、少なくとも２つのアンテナが同じ行になく、少なくとも２つのアンテナが同じ列になく、少なくとも２つのアンテナが異なる偏波方向にあることを満たす。
【０１１２】
第６の態様の第１の可能な実施方式に関連して、第２の可能な実施方式では、複数のアンテナが対となり、各対の複数のアンテナが同じ行及び同じ列にあり、全てのアンテナ対が異なる行及び異なる列にあることを、複数の第１の予め設定されたアンテナはさらに満たす。
【０１１３】
第６の態様の第１の可能な実施方式に関連して、第３の可能な実施方式において、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。
【０１１４】
第６の態様の第１の可能な実施方式に関連して、第４の可能な実施方式では、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、複数のアンテナが対となり、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。
【０１１５】
第６の態様の第１の可能な実施方式に関連して、第５の可能な実施方式では、同じ行及び同じ列においてアンテナが１つの偏波方向のみにあり、同じ列の複数のアンテナがそれぞれの間に同じ数の行の間隔を有し、その同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列においてアンテナが１つの偏波方向のみにあり、同じ行の複数のアンテナがそれぞれの間に同じ数の列の間隔を有し、その同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【０１１６】
第６の態様の第１の可能な実施方式に関連して、第６の可能な実施方式では、複数の第１の予め設定されたアンテナを含むアンテナアレイの４つのコーナのそれぞれにおける複数のアンテナが対となっていることを、複数の第１の予め設定されたアンテナはさらに満たす。
【０１１７】
第６の態様の第１の可能な実施方式に関連して、第７の可能な実施方式では、複数の第１の予め設定されたアンテナを含むアンテナアレイの４つのコーナのそれぞれには１つのアンテナがあり、かつ、２つの偏波方向におけるアンテナの数が同じであることを、複数の第１の予め設定されたアンテナはさらに満たす。
【０１１８】
第６の態様の第１の可能な実施方式に関連して、第８の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。
【０１１９】
第６の態様の第１の可能な実施方式に関連して、第９の可能な実施方式では、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。
【０１２０】
第６の態様の第１の可能な実施方式に関連して、第１０の可能な実施方式では、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。
【０１２１】
第６の態様に関連して、第１１の可能な実施方式では、アンテナアレイが共偏波アンテナアレイである場合、予め設定されたアンテナの数は、少なくとも２つのアンテナが同じ行になく、少なくとも２つのアンテナが同じ列にないことを満たす。
【０１２２】
第６の態様の第１１の可能な実施方式に関連して、第１２の可能な実施方式では、複数の第１の予め設定されたアンテナは、全てのアンテナが異なる行及び異なる列にあることをさらに満たす。
【０１２３】
第６の態様の第１１の可能な実施方式に関連して、第１３の可能な実施方式では、同じ列の複数のアンテナがそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【０１２４】
第６の態様の第１１の可能な実施方式に関連して、第１４の可能な実施方式では、複数の第１の予め設定されたアンテナを含むアンテナアレイの４つのコーナのそれぞれには１つのアンテナがあることを、複数の第１の予め設定されたアンテナはさらに満たす。
【０１２５】
第６の態様の第１１の可能な実施方式に関連して、第１６の可能な実施方式では１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。
【０１２６】
第６の態様又は第６の態様の第１から第１６の可能な実施方式のうちの何れか１つに関連して、第１７の可能な実施方式では、複数の第２の予め設定されたアンテナが複数の第１の予め設定されたアンテナを含む場合、受信機により受信されるアンテナ構成情報は、複数の第２の予め設定されたアンテナにおける複数の第１の予め設定されたアンテナのパターン情報を含む。
【０１２７】
第６の態様又は第６の態様の第１から第１６の可能な実施方式のうちの何れか１つに関連して、第１８の可能な実施方式では、複数の第２の予め設定されたアンテナが複数の第１の予め設定されたアンテナを含まない場合、受信機により受信されるアンテナ構成情報は、アンテナアレイにおける複数の第１の予め設定されたアンテナのパターン情報と、アンテナアレイにおける複数の第２の予め設定されたアンテナのパターン情報とを含む。
【０１２８】
第６の態様又は第６の態様の第１から第１８の可能な実施方式のうちの何れか１つに関連して、第１９の可能な実施方式では、受信機により受信されるアンテナ構成情報は、複数のアンテナの間の間隔及びそれらの複数のアンテナの間の複数の相関係数のうちの少なくとも１つをさらに含む。
【０１２９】
第６の態様又は第６の態様の第１から第１９の可能な実施方式のうちの何れか１つに関連して、第２０の可能な実施方式では、プロセッサは、複数のパイロット信号から、複数の第１の予め設定されたアンテナに対応するチャネル行列を取得し、アンテナ構成情報から、複数の第１の予め設定されたアンテナ及び複数の第２の予め設定されたアンテナの間の位置関係を取得し、複数の第２の予め設定されたアンテナのチャネル状態情報を得るよう、複数の第１の予め設定されたアンテナに対応するチャネル行列と、複数の第１の予め設定されたアンテナ及び複数の第２の予め設定されたアンテナの間の位置関係とに従って補間演算を実行するよう具体的に構成される。
【０１３０】
第６の態様又は第６の態様の第１から第２０の可能な実施方式のうちの何れか１つに関連して、第２１の可能な実施方式では、送信機は、基地局に、複数の第２の予め設定されたアンテナのランク情報、プリコーディング行列インジケータ、及びチャネル品質インジケータを送信するよう具体的に構成される。
【０１３１】
第６の態様又は第６の態様の第１から第２０の可能な実施方式のうちの何れか１つに関連して、第２２の可能な実施方式では、送信機に、複数の第２の予め設定されたアンテナのチャネル状態情報を送信する段階は、基地局に、複数の第２の予め設定されたアンテナのランク情報、プリコーディング行列インジケータ、及びチャネル品質インジケータを送信し、基地局に、複数の第１の予め設定されたアンテナのランク情報、プリコーディング行列インジケータ、及びチャネル品質インジケータを送信するよう具体的に構成される。
【０１３２】
第６の態様又は第６の態様の第１から第２０の可能な実施方式のうちの何れか１つに関連して、第２３の可能な実施方式では、送信機に、複数の第２の予め設定されたアンテナのチャネル状態情報を送信する段階は、基地局に、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第２の予め設定されたアンテナのチャネル品質インジケータとを送信し、基地局に、複数の第１の予め設定されたアンテナのランク情報、プリコーディング行列インジケータ、及びチャネル品質インジケータを送信する、又は、基地局に、複数の第２の予め設定されたアンテナのランク情報と、複数の第２の予め設定されたアンテナのプリコーディング行列インジケータと、複数の第１の予め設定されたアンテナ及び複数の第２の予め設定されたアンテナの差分チャネル品質インジケータを送信し、基地局に、複数の第１の予め設定されたアンテナのランク情報、プリコーディング行列インジケータ、及びチャネル品質インジケータを送信する、若しくは、基地局に、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第１の予め設定されたアンテナ及び複数の第２の予め設定されたアンテナの差分チャネル品質インジケータとを送信し、基地局に、複数の第１の予め設定されたアンテナのランク情報、プリコーディング行列インジケータ、及びチャネル品質インジケータを送信するよう具体的に構成される。
【０１３３】
第７の態様によれば、通信システムが提供され、当該通信システムは、互いに通信する端末及び基地局を備え、当該基地局は、第３の態様において説明されている基地局であり、当該端末は、第４の態様において説明されている端末である、又は、当該基地局は、第５の態様において説明されている基地局であり、当該端末は、第６の態様において説明されている端末である。
【０１３４】
チャネル情報を取得するための先述の複数の解決手段では、基地局がアンテナアレイから複数の第１の予め設定されたアンテナを選択し、複数のパイロット信号へ、複数の第１の予め設定されたアンテナをマッピングし、端末に、複数のパイロット信号とアンテナ構成情報とを送信し、端末は、複数のパイロット信号とアンテナ構成情報とに従って複数の第２の予め設定されたアンテナのチャネル状態情報を取得し、基地局に、複数の第２の予め設定されたアンテナのチャネル状態情報をフィードバックする。この場合、基地局による複数のパイロット信号へのアンテナアレイにおける全てのアンテナのマッピングが回避され、パイロットオーバヘッドを低減させる。
【図面の簡単な説明】
【０１３５】
本願発明の複数の実施形態及び従来技術における複数の技術的解決手段をより明確に説明するために、以下で、複数の実施形態及び従来技術を説明するのに必要な添付の複数の図面を簡潔に紹介する。
【０１３６】
【図１】従来技術において提供されているアンテナアレイの概略図である。
【０１３７】
【図２】本願発明の実施形態に係るチャネル情報を取得するための方法の概略フローチャートである。
【０１３８】
【図３】本願発明の実施形態に係るアンテナアレイをマッピングする方法の概略図である。
【０１３９】
【図４】本願発明の別の実施形態に係るチャネル情報を取得するための方法の概略フローチャートである。
【０１４０】
【図５】本願発明のさらなる別の実施形態に係るチャネル情報を取得するための方法の概略フローチャートである。
【０１４１】
【図６】本願発明の実施形態に係るアンテナ選択方法の概略図である。
【０１４２】
【図７】本願発明の実施形態に係る別のアンテナ選択方法の概略図である。
【０１４３】
【図８】本願発明の実施形態に係るさらなる別のアンテナ選択方法の概略図である。
【０１４４】
【図９】本願発明の実施形態に係るまた別のアンテナ選択方法の概略図である。
【０１４５】
【図１０】本願発明の実施形態に係る別のアンテナ選択方法の概略図である。
【０１４６】
【図１１】本願発明の実施形態に係るさらなる別のアンテナ選択方法の概略図である。
【０１４７】
【図１２】本願発明の実施形態に係るまた別のアンテナ選択方法の概略図である。
【０１４８】
【図１３】本願発明の実施形態に係る別のアンテナ選択方法の概略図である。
【０１４９】
【図１４】本願発明の実施形態に係るさらなる別のアンテナ選択方法の概略図である。
【０１５０】
【図１５】本願発明の実施形態に係るまた別のアンテナ選択方法の概略図である。
【０１５１】
【図１６】本願発明の実施形態に係る別のアンテナ選択方法の概略図である。
【０１５２】
【図１７】本願発明の実施形態に係るさらなる別のアンテナ選択方法の概略図である。
【０１５３】
【図１８】本願発明の実施形態に係るまた別のアンテナ選択方法の概略図である。
【０１５４】
【図１９】本願発明の実施形態に係る別のアンテナ選択方法の概略図である。
【０１５５】
【図２０】本願発明の実施形態に係るさらなる別のアンテナ選択方法の概略図である。
【０１５６】
【図２１】本願発明の実施形態に係る基地局の概略構造図である。
【０１５７】
【図２２】本願発明の実施形態に係る端末の概略構造図である。
【０１５８】
【図２３】本願発明の別の実施形態に係る基地局の概略構造図である。
【０１５９】
【図２４】本願発明の別の実施形態に係る端末の概略構造図である。
【０１６０】
【図２５】本願発明の実施形態に係るチャネル情報を取得するためのシステムの概略図である。
【発明を実施するための形態】
【０１６１】
以下は、本願発明の複数の実施形態に添付の複数の図面を参照して本願発明の複数の実施形態の複数の技術的解決手段を明確に説明する。説明される複数の実施形態は本願発明の複数の実施形態の一部にすぎず、全てではないことが明らかである。本願発明の複数の実施形態に基づいて、当業者によって創造努力なしで得られる他の全ての実施形態は、本願発明の権利保護範囲に含まれるべきである。
【０１６２】
図２を参照すると、本願発明の実施形態では、基地局によりチャネル情報を取得するための方法を提供し、当該方法は以下の複数の段階を備える。
【０１６３】
１０１．基地局は、複数のパイロット信号へ、アンテナアレイにおける複数の第１の予め設定されたアンテナをマッピングする。
【０１６４】
複数の第１の予め設定されたアンテナは、基地局により予め設定されてよく、又は、端末が基地局に、複数の第１の予め設定されたアンテナの設定情報をフィードバックしてよく、若しくは、基地局は端末に、複数の第１の予め設定されたアンテナの設定情報を送信する。
【０１６５】
複数の第１の予め設定されたアンテナの数がアンテナアレイにおける全てのアンテナの数又は複数の第２の予め設定されたアンテナの数より少ない。複数のパイロット信号へ予め設定された数のアンテナをマッピングする段階は、物理リソースブロック２を用いて実行される必要がある。図３を参照すると、図３のアンテナアレイが二重偏波アンテナアレイであり、合計で３２個のアンテナ（Ｌ１，Ｌ２，・・・，及びＬ３２）を含む。図３の物理リソースブロック２は、複数の物理リソースユニットに分割されることができ、各アンテナについての情報が、対応する物理リソースユニットにマッピングされ得る。図３の各物理リソースユニット上の参照符号が、対応するアンテナを表し、これらの物理リソースユニットは、アンテナのマッピングを実行することができ、データ送信を実行することもできる。基地局がパイロット信号へ複数のアンテナをマッピングするとき、アンテナアレイにおける全てのアンテナが選択された場合、大量の物理リソースユニットが占有される。この場合、データ送信のための物理リソースユニットの数がより少なくなり、基地局のデータ送信動作の劣化をもたらしてしまう。本願発明のこの実施形態において、アンテナアレイにおける一部のアンテナがマッピングするために選択され、これにより、比較的少ない物理リソースユニットが占有され、基地局のデータ送信動作に対する影響を低減させる。
【０１６６】
アンテナアレイが二重偏波アンテナアレイである場合、複数の第１の予め設定されたアンテナは、少なくとも２つのアンテナが同じ行になく、少なくとも２つのアンテナが同じ列になく、少なくとも２つのアンテナが異なる偏波方向にあることを満たす。少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映してよく、少なくとも２つのアンテナが異なる偏波方向にあることは、異なる偏波方向の複数のアンテナでの信号送信における差異を反映してよい。
【０１６７】
任意選択的に、アンテナが共偏波アンテナアレイである場合、複数の第１の予め設定されたアンテナは、少なくとも２つのアンテナが同じ行になく、少なくとも２つのアンテナが同じ列にないことを満たす。少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映し得る。
【０１６８】
１０２．基地局は端末に、複数のパイロット信号及びアンテナ構成情報を送信し、アンテナ構成情報は、複数の第１の予め設定されたアンテナのパターン情報と複数の第２の予め設定されたアンテナのパターン情報とを含む。
【０１６９】
複数の第１の予め設定されたアンテナ及び複数の第２の予め設定されたアンテナは、同じアンテナアレイにあり、複数の第１の予め設定されたアンテナは、複数の第２の予め設定されたアンテナとは異なるものである。
【０１７０】
端末は、複数の第２の予め設定されたアンテナのチャネル状態情報を得るよう、構成情報に従って複数の第１の予め設定されたアンテナ及び複数の第２の予め設定されたアンテナの間の位置関係を得てよく、その位置関係に従って補間演算を実行することができる。
【０１７１】
具体的には、複数の第２の予め設定されたアンテナが複数の第１の予め設定されたアンテナを含む場合、アンテナ構成情報は、複数の第２の予め設定されたアンテナにおける複数の第１の予め設定されたアンテナのパターン情報を含む。
【０１７２】
任意選択的に、複数の第２の予め設定されたアンテナが複数の第１の予め設定されたアンテナを含まない場合、アンテナ構成情報は、アンテナアレイにおける複数の第１の予め設定されたアンテナのパターン情報と、アンテナアレイにおける複数の第２の予め設定されたアンテナのパターン情報とを含む。
【０１７３】
さらに、アンテナ構成情報は、複数のアンテナの間の間隔及びそれらの複数のアンテナの間の複数の相関係数のうちの少なくとも１つをさらに含む。
【０１７４】
構成情報は、複数のアンテナの間の間隔又はそれらの複数のアンテナの間の複数の相関係数を伝達し、これにより、端末は、複数の第２の予め設定されたアンテナのチャネル状態情報をより確実に得ることができる。
【０１７５】
１０３．基地局は、端末によりフィードバックされる、複数の第２の予め設定されたアンテナのチャネル状態情報を受信する。
【０１７６】
基地局は、受信された、複数の第２の予め設定されたアンテナのチャネル状態情報に従って、端末に対して、複数の対応する送信アンテナを構成することができる。
【０１７７】
先述の実施形態において、基地局がアンテナアレイから、複数の第１の予め設定されたアンテナを選択し、複数のパイロット信号に、複数の第１の予め設定されたアンテナをマッピングし、端末に、複数のパイロット信号とアンテナ構成情報とを送信し、端末は、複数のパイロット信号及びアンテナ構成情報に従って複数の第２の予め設定されたアンテナのチャネル状態情報を取得し、基地局に、複数の第２の予め設定されたアンテナのチャネル状態情報をフィードバックする。この場合、基地局による複数のパイロット信号にアンテナアレイにおける全てのアンテナのマッピングが回避され、パイロットオーバヘッドを低減させる。
【０１７８】
図４を参照すると、本願発明の実施形態では、端末によりチャネル情報を取得するための方法を提供し、当該方法は、以下の複数の段階を備える。
【０１７９】
２０１．端末は、基地局により送信される複数のパイロット信号及びアンテナ構成情報を取得し、複数のパイロット信号は、アンテナアレイにおける複数の第１の予め設定されたアンテナがマッピングされる複数のパイロット信号であり、アンテナ構成情報は、複数の第１の予め設定されたアンテナのパターン情報と複数の第２の予め設定されたアンテナのパターン情報とを含む。
【０１８０】
複数の第１の予め設定されたアンテナ及び複数の第２の予め設定されたアンテナは同じアンテナアレイにあり、複数の第１の予め設定されたアンテナは、複数の第２の予め設定されたアンテナとは異なるものである。
【０１８１】
端末は、構成情報に従って複数の第１の予め設定されたアンテナ及び複数の第２の予め設定されたアンテナの間の位置関係を得てよく、複数の第２の予め設定されたアンテナのチャネル状態情報を得るよう、その位置関係に従って補間演算を実行することができる。
【０１８２】
具体的には、複数の第２の予め設定されたアンテナが複数の第１の予め設定されたアンテナを含む場合、アンテナ構成情報は、複数の第２の予め設定されたアンテナにおける複数の第１の予め設定されたアンテナのパターン情報を含む。
【０１８３】
任意選択的に、複数の第２の予め設定されたアンテナが複数の第１の予め設定されたアンテナを含まない場合、アンテナ構成情報は、アンテナアレイにおける複数の第１の予め設定されたアンテナのパターン情報と、アンテナアレイにおける複数の第２の予め設定されたアンテナのパターン情報とを含む。
【０１８４】
さらに、アンテナ構成情報は、複数のアンテナの間の間隔及びそれらの複数のアンテナの間の複数の相関係数のうちの少なくとも１つをさらに含む。
【０１８５】
構成情報は、複数のアンテナの間の間隔又はそれらの複数のアンテナの間の複数の相関係数を伝達し、これにより、端末は、複数の第２の予め設定されたアンテナのチャネル状態情報をより確実に得ることができる。
【０１８６】
２０２．端末は、複数のパイロット信号及びアンテナ構成情報に従って計算を用いて複数の第２の予め設定されたアンテナのチャネル状態情報を得る。
【０１８７】
具体的には、端末は、複数の第２の予め設定されたアンテナのチャネル状態情報を得るよう、複数のパイロット信号から、複数の第１の予め設定されたアンテナに対応するチャネル行列を取得し、アンテナ構成情報から、複数の第１の予め設定されたアンテナ及び複数の第２の予め設定されたアンテナの間の位置関係を取得し、複数の第１の予め設定されたアンテナに対応するチャネル行列と複数の第１の予め設定されたアンテナ及び複数の第２の予め設定されたアンテナの間の位置関係とに従って補間演算を実行する。
【０１８８】
アンテナのチャネル状態情報は、アンテナのランク情報、プリコーディング行列インジケータ、及びチャネル品質インジケータを含む。
【０１８９】
２０３．端末は基地局に、複数の第２の予め設定されたアンテナのチャネル状態情報を送信する。
【０１９０】
端末は基地局に、複数の第２の予め設定されたアンテナのランク情報、プリコーディング行列インジケータ、及びチャネル品質インジケータを送信する。
【０１９１】
任意選択的に、複数の第２の予め設定されたアンテナのランク情報、プリコーディング行列インジケータ、及びチャネル品質インジケータが基地局に送信され、複数の第１の予め設定されたアンテナのランク情報、プリコーディング行列インジケータ、及びチャネル品質インジケータが基地局に送信される。この場合、複数の第１の予め設定されたアンテナのチャネル状態情報は確実に取得されることができる。
【０１９２】
任意選択的に、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第２の予め設定されたアンテナのチャネル品質インジケータとが基地局に送信され、複数の第１の予め設定されたアンテナのランク情報、プリコーディング行列インジケータ、及びチャネル品質インジケータが、基地局に送信される、又は、複数の第２の予め設定されたアンテナのランク情報と、複数の第２の予め設定されたアンテナのプリコーディング行列インジケータと、複数の第１の予め設定されたアンテナ及び複数の第２の予め設定されたアンテナの差分チャネル品質インジケータとが基地局に送信され、複数の第１の予め設定されたアンテナのランク情報、プリコーディング行列インジケータ、及びチャネル品質インジケータが基地局に送信される、若しくは、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第１の予め設定されたアンテナ及び複数の第２の予め設定されたアンテナの差分チャネル品質インジケータとが基地局に送信され、複数の第１の予め設定されたアンテナのランク情報、プリコーディング行列インジケータ、及びチャネル品質インジケータが基地局に送信される。
【０１９３】
基地局は、複数の第１の予め設定されたアンテナ及び複数の第２の予め設定されたアンテナの複数のプリコーディング行列インジケータの差分コードブックの先述の構造を用いて、複数の第２の予め設定されたアンテナのプリコーディング行列インジケータを得ることができる。同様に、基地局は、複数の第１の予め設定されたアンテナ及び複数の第２の予め設定されたアンテナの先述の差分チャネル品質インジケータを用いて、複数の第２の予め設定されたアンテナのチャネル品質インジケータを得ることができる。複数の第１の予め設定されたアンテナ及び複数の第２の予め設定されたアンテナの複数のプリコーディング行列インジケータの差分コードブックの構成と、複数の第１の予め設定されたアンテナ及び複数の第２の予め設定されたアンテナの差分チャネル品質インジケータとは、比較的少ないリソースを占有し、従って、この場合、パイロットオーバヘッドは低減させられることができる。
【０１９４】
先述の実施形態では、端末が複数の第１の予め設定されたアンテナがマッピングされる複数のパイロット信号を受信し、複数の第１の予め設定されたアンテナは、基地局によりアンテナアレイから選択され、端末はまた、アンテナ構成情報を受信し、複数のパイロット信号とアンテナ構成情報とに従って複数の第２の予め設定されたアンテナのチャネル状態情報を取得し、基地局に、複数の第２の予め設定されたアンテナのチャネル状態情報をフィードバックする。この場合、基地局による複数のパイロット信号にアンテナアレイにおける全てのアンテナのマッピングが回避され、パイロットオーバヘッドを低減させる。
【０１９５】
図５を参照すると、本願発明の実施形態では、チャネル情報を取得するための方法を提供し、当該方法は、以下の複数の段階を備える。
【０１９６】
３０１．基地局が、複数のパイロット信号に、アンテナアレイにおける複数の第１の予め設定されたアンテナをマッピングする。
【０１９７】
複数の第１の予め設定されたアンテナは、基地局により予め設定されてよく、又は、端末が基地局に、複数の第１の予め設定されたアンテナの設定情報をフィードバックしてよく、若しくは、基地局は端末に、複数の第１の予め設定されたアンテナの設定情報を送信する。
【０１９８】
アンテナアレイが二重偏波アンテナアレイである場合、複数の第１の予め設定されたアンテナは、少なくとも２つのアンテナが同じ行になく、少なくとも２つのアンテナが同じ列になく、少なくとも２つのアンテナが異なる偏波方向にあることを満たす。少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映してよく、少なくとも２つのアンテナが異なる偏波方向にあることは、異なる偏波方向の複数のアンテナでの信号送信における差異を反映してよい。
【０１９９】
図６を参照すると、２本の実線が複数の第１の予め設定されたアンテナを表し、複数の点線が複数の第１の予め設定されたアンテナ以外の複数のアンテナを表す。選択された２つのアンテナは、異なる行の複数のアンテナでの信号送信における差異と、異なる列の複数のアンテナでの信号送信における差異と、異なる偏波方向の複数のアンテナでの信号送信における差異とを反映することができる。先述の３つの方向での信号送信における差異に従って、アンテナ構成情報を参照して補間演算が実行され、これにより、複数の第２の予め設定されたアンテナのチャネル状態情報は得られることができる。
【０２００】
さらに、複数のアンテナが対となり、各対の複数のアンテナが同じ行及び同じ列にあり、全てのアンテナ対が異なる行及び異なる列にあることを、複数の第１の予め設定されたアンテナはさらに満たす。図７を参照すると、この方法の２つの例が含まれる（これらの２つの例はＰ３−１及びＰ３−２として番号付与される）。複数の実線が複数の第１の予め設定されたアンテナを表し、複数の点線が複数の第１の予め設定されたアンテナ以外の複数のアンテナを表すので、後続のアンテナ選択の図面では再び説明されない。図７に対応する方法において、異なる行の複数のアンテナでの信号送信における差異と、異なる列の複数のアンテナでの信号送信における差異とがサンプリングされてよく、補間演算の正確さを向上させることができる。
【０２０１】
さらに任意選択的に、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。図８を参照すると、この方法の２つの例が含まれる（これらの２つの例は、Ｐ３−３及びＰ３−４として番号付与される）。図８に対応する方法において、異なる行の複数のアンテナでの信号送信における差異と、異なる列の複数のアンテナでの信号送信における差異とがサンプリングされてよく、補間演算の正確さを向上させることができ、図７に対応する方法と比較されると、基地局によりマッピングされるアンテナの数を減少させることができ、それにより、パイロットオーバヘッドを低減させる。
【０２０２】
さらに任意選択的に、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、複数のアンテナが対となり、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。図９を参照すると、この方法の２つの例が含まれる（これらの２つの例は、Ｐ３−５及びＰ３−６として番号付与される）。図９に対応する方法において、異なる行の複数のアンテナでの信号送信における差異と、異なる列の複数のアンテナでの信号送信における差異とがサンプリングされてよく、補間演算の正確さを向上させることができる。
【０２０３】
さらに任意選択的に、同じ行及び同じ列においてアンテナが１つの偏波方向のみにあり、同じ列の複数のアンテナがそれぞれの間に同じ数の行の間隔を有し、その同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列においてアンテナが１つの偏波方向のみにあり、同じ行の複数のアンテナがそれぞれの間に同じ数の列の間隔を有し、その同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。図１０を参照すると、この方法の６つの例が含まれる（これらの６つの例は、Ｐ３−７，Ｐ３−８，Ｐ３−９，Ｐ３−１０，Ｐ−３−１１，及びＰ３−１２として番号付与される）。図１０に対応する方法において、異なる行の複数のアンテナでの信号送信における差異と、異なる列の複数のアンテナでの信号送信における差異とがサンプリングされてよく、補間演算の正確さを向上させることができ、図９に対応する方法と比較すると、基地局によりマッピングされるアンテナの数を減少させることができ、それにより、パイロットオーバヘッドを低減させる。
【０２０４】
さらに任意選択的に、複数の第１の予め設定されたアンテナを含むアンテナアレイの４つのコーナのそれぞれにおける複数のアンテナが対となっていることを、複数の第１の予め設定されたアンテナはさらに満たす。図１１を参照する（１つの例が、Ｐ３−１３として番号付与される）。この方法において、複数の第１の予め設定されたアンテナは、複数のコーナに分散され、複数の第２の予め設定されたアンテナのチャネル状態情報は補間演算の補間アルゴリズムを用いて得られることができ、補間アルゴリズムの正確さが高い。
【０２０５】
さらに任意選択的に、複数の第１の予め設定されたアンテナを含むアンテナアレイの４つのコーナのそれぞれには１つのアンテナがあり、かつ、２つの偏波方向におけるアンテナの数が同じであることを、複数の第１の予め設定されたアンテナはさらに満たす。図１２を参照すると、この方法の３つの例が含まれる（これらの３つの例は、Ｐ３−１４，Ｐ３−１５，Ｐ３−１６として番号付与される）。図１２に対応する方法では、この方法において、複数の第１の予め設定されたアンテナは、複数のコーナに分散され、複数の第２の予め設定されたアンテナのチャネル状態情報は、補間演算の補間アルゴリズムを用いて得られ得る。補間アルゴリズムの正確さが高く、かつ、図１１に対応する方法と比較して基地局によりマッピングされるアンテナの数が減少されて、それにより、パイロットオーバヘッドを低減させる。
【０２０６】
さらに任意選択的に、一対のアンテナのみが存在し、当該対の複数のアンテナが同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。図１３を参照する（１つの例がＰ３−１７として番号付与される）。図１３に対応する方法では、異なる行の複数のアンテナでの信号送信における差異及び異なる列の複数のアンテナでの信号送信における差異がサンプリングされてよく、補間演算の正確さを向上させることができる。
【０２０７】
さらに任意選択的に、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。図１４を参照する（これらの２つの例がＰ３−１８及びＰ３−１９として番号付与される）。図１４に対応する方法において、異なる行の複数のアンテナでの信号送信における差異及び異なる列の複数のアンテナでの信号送信における差異がサンプリングされてよく、補間演算の正確さを向上させることができる。
【０２０８】
さらに任意選択的に、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。図１５を参照する（これらの２つの例がＰ３−２０及びＰ３−２１として番号付与される）。図１５に対応する方法において、異なる行の複数のアンテナでの信号送信における差異及び異なる列の複数のアンテナでの信号送信における差異がサンプリングされてよく、補間演算の正確さを向上させることができ、図１４に対応する方法と比較すると、基地局によりマッピングされるアンテナの数を減少させることができ、それにより、パイロットオーバヘッドを低減させる。
【０２０９】
もちろん、代わりに、先述の二重偏波アンテナアレイにおける予め設定されたアンテナの数及び配置方式が異なって良い。選択された複数の第１の予め設定されたアンテナが行、列、及び偏波方向という３つの異なる方向にあれば、選択された複数の第１の予め設定されたアンテナは本願発明の範囲に属する。
【０２１０】
任意選択的に、アンテナが共偏波アンテナアレイにある場合、複数の第１の予め設定されたアンテナは、少なくとも２つのアンテナが同じ行になく、少なくとも２つのアンテナが同じ列にないことを満たす。少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映し得る。
【０２１１】
図１６を参照すると、異なる行の複数のアンテナでの信号送信における差異及び異なる列の複数のアンテナでの信号送信における差異が反映されることができる。先述の２つの方向での信号送信における差異に従って、かつ、アンテナ構成情報を参照して補間演算が実行される。これにより、複数の第２の予め設定されたアンテナのチャネル状態情報が得られることができる。
【０２１２】
さらに、複数の第１の予め設定されたアンテナは、全てのアンテナが異なる行及び異なる列にあることをさらに満たす。図１７を参照すると、この方法の２つの例が含まれる（これらの２つの例は、Ｐ３−２２及びＰ３−２３として番号付与される）。図１７に対応する方法では、異なる行の複数のアンテナでの信号送信における差異及び異なる列の複数のアンテナでの信号送信における差異がサンプリングされてよく、補間演算の正確さを向上させることができる。
【０２１３】
さらに任意選択的に、同じ列の複数のアンテナがそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。図１８を参照すると、この方法の２つの例が含まれる（これらの２つの例は、Ｐ３−２４及びＰ３−２５として番号付与される）。図１８に対応する選択方法では、異なる行の複数のアンテナでの信号送信における差異及び異なる列の複数のアンテナでの信号送信における差異がサンプリングされてよく、補間演算の正確さを向上させることができる。
【０２１４】
さらに任意選択的に、複数の第１の予め設定されたアンテナを含むアンテナアレイの４つのコーナのそれぞれには１つのアンテナがあることを、複数の第１の予め設定されたアンテナはさらに満たす。図１９を参照する（１つの例がＰ３−２６として番号付与される）。この方法では、複数の第１の予め設定されたアンテナが複数のコーナに分散され、複数の第２の予め設定されたアンテナのチャネル状態情報は、補間演算の補間アルゴリズムを用いて得られてよく、その補間アルゴリズムの正確さが高い。
【０２１５】
さらに任意選択的に、１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。図２０を参照する（１つの例がＰ３−２７として番号付与される）。この選択方法では、異なる行の複数のアンテナでの信号送信における差異及び異なる列の複数のアンテナでの信号送信における差異がサンプリングされてよく、補間演算の正確さを向上させることができる。
【０２１６】
もちろん、代わりに、先述の共偏波アンテナアレイにおけるアンテナの数及び配置方式が異なって良い。選択された複数の第１の予め設定されたアンテナが行及び列という２つの異なる方向にあれば、選択された複数の第１の予め設定されたアンテナは、本願発明の範囲に属する。
【０２１７】
３０２．基地局は端末に、複数のパイロット信号及びアンテナ構成情報を送信し、アンテナ構成情報は、複数の第１の予め設定されたアンテナのパターン情報と複数の第２の予め設定されたアンテナのパターン情報とを含む。
【０２１８】
複数の第１の予め設定されたアンテナ及び複数の第２の予め設定されたアンテナは同じアンテナアレイにあり、複数の第１の予め設定されたアンテナは、複数の第２の予め設定されたアンテナとは異なるものである。
【０２１９】
具体的には、基地局により送信されるアンテナ構成情報が既に段階１０２で詳細に説明されているため、ここでは再び説明されない。
【０２２０】
３０３．端末は、基地局により送信される複数のパイロット信号及びアンテナ構成情報を取得し、複数のパイロット信号は、アンテナアレイの複数の第１の予め設定されたアンテナがマッピングされる複数のパイロット信号であり、アンテナ構成情報は、複数の第１の予め設定されたアンテナのパターン情報と、複数の第２の予め設定されたアンテナのパターン情報とを含む。
【０２２１】
３０４．端末は、複数のパイロット信号から、複数の第１の予め設定されたアンテナに対応するチャネル行列を取得する。
【０２２２】
３０５．端末は、アンテナ構成情報から、複数の第１の予め設定されたアンテナ及び複数の第２の予め設定されたアンテナの間の位置関係を取得する。
【０２２３】
３０６．端末は、複数の第２の予め設定されたアンテナのチャネル状態情報を得るよう、複数の第１の予め設定されたアンテナに対応するチャネル行列と、複数の第１の予め設定されたアンテナ及び複数の第２の予め設定されたアンテナの間の位置関係とに従って、補間演算を実行する。
【０２２４】
３０７．端末は基地局に、複数の第２の予め設定されたアンテナのチャネル状態情報を送信する。
【０２２５】
具体的には、複数の第２の予め設定されたアンテナのチャネル状態情報を送信する方式は既に段階２０３で詳細に説明されているため、ここでは再び説明されない。
【０２２６】
３０８．基地局は、端末によりフィードバックされる、アンテナアレイのチャネル状態情報を受信する。
【０２２７】
基地局は、受信された、複数の第２の予め設定されたアンテナのチャネル状態情報に従って、端末に対して、複数の対応する送信アンテナを構成することができる。
【０２２８】
先述の実施形態では、基地局がアンテナアレイから複数の第１の予め設定されたアンテナを選択し、複数のパイロット信号に、複数の第１の予め設定されたアンテナをマッピングし、端末に、複数のパイロット信号及びアンテナ構成情報を送信し、端末は、複数のパイロット信号及びアンテナ構成情報に従って、複数の第２の予め設定されたアンテナのチャネル状態情報を取得し、基地局に、複数の第２の予め設定されたアンテナのチャネル状態情報をフィードバックする。この場合、基地局による複数のパイロット信号にアンテナアレイにおける全てのアンテナのマッピングが回避され、パイロットオーバヘッドを低減させる。
【０２２９】
図２１を参照すると、本願発明の実施形態では、基地局４００を提供し、当該基地局４００は、チャネル状態情報の取得を実行するのに用いられ、マッピングユニット４０１と、送信ユニット４０２と、受信ユニット４０３とを備える。
【０２３０】
マッピングユニット４０１は、複数のパイロット信号に、アンテナアレイにおける複数の第１の予め設定されたアンテナをマッピングするよう構成される。
【０２３１】
複数の第１の予め設定されたアンテナは、基地局により予め設定されてよく、又は、端末が基地局に、複数の第１の予め設定されたアンテナの設定情報をフィードバックしてよく、若しくは、基地局は端末に、複数の第１の予め設定されたアンテナの設定情報を送信する。
【０２３２】
アンテナアレイが二重偏波アンテナアレイである場合、複数の第１の予め設定されたアンテナは、少なくとも２つのアンテナが同じ行になく、少なくとも２つのアンテナが同じ列になく、少なくとも２つのアンテナが異なる偏波方向にあることを満たす。少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映してよく、少なくとも２つのアンテナが異なる偏波方向にあることは、異なる偏波方向の複数のアンテナでの信号送信における差異を反映してよい。先述の３つの方向での信号送信における差異に従って、かつ、アンテナ構成情報を参照して、補間演算が実行される。これにより、複数の第２の予め設定されたアンテナのチャネル状態情報が得られることができる。
【０２３３】
さらに、複数のアンテナが対となり、各対の複数のアンテナが同じ行及び同じ列にあり、全てのアンテナ対が異なる行及び異なる列にあることを、複数の第１の予め設定されたアンテナはさらに満たす。
【０２３４】
さらに任意選択的に、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。
【０２３５】
さらに任意選択的に、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、複数のアンテナが対となり、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。
【０２３６】
さらに任意選択的に、同じ行及び同じ列においてアンテナが１つの偏波方向のみにあり、同じ列の複数のアンテナがそれぞれの間に同じ数の行の間隔を有し、その同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列においてアンテナが１つの偏波方向のみにあり、同じ行の複数のアンテナがそれぞれの間に同じ数の列の間隔を有し、その同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【０２３７】
さらに任意選択的に、複数の第１の予め設定されたアンテナを含むアンテナアレイの４つのコーナのそれぞれにおける複数のアンテナが対となっていることを、複数の第１の予め設定されたアンテナはさらに満たす。
【０２３８】
さらに任意選択的に、複数の第１の予め設定されたアンテナを含むアンテナアレイの４つのコーナのそれぞれには１つのアンテナがあり、かつ、２つの偏波方向におけるアンテナの数が同じであることを、複数の第１の予め設定されたアンテナはさらに満たす。
【０２３９】
さらに任意選択的に、一対のアンテナのみが存在し、当該対の複数のアンテナが同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。
【０２４０】
さらに任意選択的に、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が同じ数の列の等しい間隔で他の偏波方向の複数のアンテナを含むことを、複数の第１の予め設定されたアンテナはさらに満たす。
【０２４１】
さらに任意選択的に、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される行が同じ数の列の等しい間隔で他の偏波方向の複数のアンテナを含むことを、複数の第１の予め設定されたアンテナはさらに満たす。
【０２４２】
もちろん、代わりに、先述の二重偏波アンテナアレイにおける予め設定されたアンテナの数及び配置方式が異なって良い。選択された複数の第１の予め設定されたアンテナが行、列、及び偏波方向という３つの異なる方向にあれば、選択された複数の第１の予め設定されたアンテナは、本願発明の範囲に属する。
【０２４３】
任意選択的に、アンテナが共偏波アンテナアレイである場合、複数の第１の予め設定されたアンテナは、少なくとも２つのアンテナが同じ行になく、少なくとも２つのアンテナが同じ列にないことを満たす。少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映し得る。先述の２つの方向での信号送信における差異に従って、アンテナ構成情報を参照して補間演算が実行され、これにより、複数の第２の予め設定されたアンテナのチャネル状態情報は得られることができる。
【０２４４】
さらに、複数の第１の予め設定されたアンテナは、全てのアンテナが異なる行及び異なる列にあることをさらに満たす。
【０２４５】
さらに任意選択的に、同じ列の複数のアンテナがそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【０２４６】
さらに任意選択的に、複数の第１の予め設定されたアンテナを含むアンテナアレイの４つのコーナのそれぞれには１つのアンテナがあることを、複数の第１の予め設定されたアンテナはさらに満たす。
【０２４７】
さらに任意選択的に、１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。
【０２４８】
もちろん、代わりに、先述の共偏波アンテナアレイにおけるアンテナの数及び配置方式が異なって良い。選択された複数の第１の予め設定されたアンテナが行及び列という２つの異なる方向にあれば、選択された複数の第１の予め設定されたアンテナは本願発明の範囲に属する。
【０２４９】
送信ユニット４０２は端末に、マッピングユニット４０１によりマッピングされた複数のパイロット信号及びアンテナ構成情報を送信するよう構成され、アンテナ構成情報は、複数の第１の予め設定されたアンテナのパターン情報と複数の第２の予め設定されたアンテナのパターン情報とを含む。
【０２５０】
複数の第１の予め設定されたアンテナ及び複数の第２の予め設定されたアンテナは、同じアンテナアレイにあり、複数の第１の予め設定されたアンテナは、複数の第２の予め設定されたアンテナとは異なるものである。
【０２５１】
具体的には、複数の第２の予め設定されたアンテナが複数の第１の予め設定されたアンテナを含む場合、送信ユニット４０２により送信されたアンテナ構成情報は、複数の第２の予め設定されたアンテナにおける複数の第１の予め設定されたアンテナのパターン情報を含む。
【０２５２】
任意選択的に、複数の第２の予め設定されたアンテナが複数の第１の予め設定されたアンテナを含まない場合、送信ユニット４０２により送信されたアンテナ構成情報は、アンテナアレイにおける複数の第１の予め設定されたアンテナのパターン情報と、アンテナアレイにおける複数の第２の予め設定されたアンテナのパターン情報とを含む。
【０２５３】
さらに、送信ユニット４０２により送信されたアンテナ構成情報は、複数のアンテナの間の間隔及びそれらの複数のアンテナの間の複数の相関係数のうちの少なくとも１つをさらに含む。
【０２５４】
構成情報は、複数のアンテナの間の間隔又はそれらの複数のアンテナの間の複数の相関係数を伝達し、これにより、端末は、複数の第２の予め設定されたアンテナのチャネル状態情報をより確実に得ることができる。
【０２５５】
受信ユニット４０３は、端末によりフィードバックされる複数の第２の予め設定されたアンテナのチャネル状態情報を受信するよう構成される。
【０２５６】
基地局は、受信された、複数の第２の予め設定されたアンテナのチャネル状態情報に従って、端末に対して、複数の対応する送信アンテナを構成することができる。
【０２５７】
先述の実施形態では、基地局は、アンテナアレイから、複数の第１の予め設定されたアンテナを選択し、複数のパイロット信号に、その複数の第１の予め設定されたアンテナをマッピングし、端末に、複数のパイロット信号及びアンテナ構成情報を送信し、端末は、複数のパイロット信号とアンテナ構成情報とに従って、複数の第２の予め設定されたアンテナのチャネル状態情報を取得し、基地局に、複数の第２の予め設定されたアンテナのチャネル状態情報をフィードバックする。この場合、基地局による複数のパイロット信号にアンテナアレイにおける全てのアンテナのマッピングが回避され、パイロットオーバヘッドを低減させる。
【０２５８】
図２２を参照すると、本願発明の実施形態では、端末５００を提供し、当該端末５００は、チャネル状態情報の取得を実行するのに用いられ、受信ユニット５０１と取得ユニット５０２とを含む。
【０２５９】
受信ユニット５０１は、基地局により送信される複数のパイロット信号及びアンテナ構成情報を受信するよう構成され、複数のパイロット信号は、アンテナアレイにおける複数の第１の予め設定されたアンテナがマッピングされる複数のパイロット信号であり、アンテナ構成情報は、複数の第１の予め設定されたアンテナのパターン情報と複数の第２の予め設定されたアンテナのパターン情報とを含む。
【０２６０】
複数の第１の予め設定されたアンテナは、基地局により予め設定されてよく、又は、端末は、基地局に、複数の第１の予め設定されたアンテナの設定情報をフィードバックしてよく、若しくは、基地局は、端末に、複数の第１の予め設定されたアンテナの設定情報を送信する。
【０２６１】
アンテナアレイが二重偏波アンテナアレイである場合、複数の第１の予め設定されたアンテナは、少なくとも２つのアンテナが同じ行になく、少なくとも２つのアンテナが同じ列になく、少なくとも２つのアンテナが異なる偏波方向にあることを満たす。少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映してよく、少なくとも２つのアンテナが異なる偏波方向にあることは、異なる偏波方向の複数のアンテナでの信号送信における差異を反映してよい。先述の３つの方向での信号送信における差異に従って、アンテナ構成情報を参照して補間演算が実行され、これにより、複数の第２の予め設定されたアンテナのチャネル状態情報は得られることができる。
【０２６２】
さらに、複数のアンテナが対となり、各対の複数のアンテナが同じ行及び同じ列にあり、全てのアンテナ対が異なる行及び異なる列にあることを、複数の第１の予め設定されたアンテナはさらに満たす。
【０２６３】
さらに任意選択的に、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。
【０２６４】
さらに任意選択的に、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、複数のアンテナが対となり、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。
【０２６５】
さらに任意選択的に、同じ行及び同じ列においてアンテナが１つの偏波方向のみにあり、同じ列の複数のアンテナがそれぞれの間に同じ数の行の間隔を有し、その同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列においてアンテナが１つの偏波方向のみにあり、同じ行の複数のアンテナがそれぞれの間に同じ数の列の間隔を有し、その同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【０２６６】
さらに任意選択的に、複数の第１の予め設定されたアンテナを含むアンテナアレイの４つのコーナのそれぞれにおける複数のアンテナが対となっていることを、複数の第１の予め設定されたアンテナはさらに満たす。
【０２６７】
さらに任意選択的に、複数の第１の予め設定されたアンテナを含むアンテナアレイの４つのコーナのそれぞれには１つのアンテナがあり、かつ、２つの偏波方向におけるアンテナの数が同じであることを、複数の第１の予め設定されたアンテナはさらに満たす。
【０２６８】
さらに任意選択的に、一対のアンテナのみが存在し、当該対の複数のアンテナが同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。
【０２６９】
さらに任意選択的に、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が同じ数の列の等しい間隔で他の偏波方向の複数のアンテナを含むことを、複数の第１の予め設定されたアンテナはさらに満たす。
【０２７０】
さらに任意選択的に、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される行が同じ数の列の等しい間隔で他の偏波方向の複数のアンテナを含むことを、複数の第１の予め設定されたアンテナはさらに満たす。
【０２７１】
もちろん、代わりに、先述の二重偏波アンテナアレイにおける予め設定されたアンテナの数及び配置方式が異なって良い。選択された複数の第１の予め設定されたアンテナが行、列、及び偏波方向という３つの異なる方向にあれば、選択された複数の第１の予め設定されたアンテナは本願発明の範囲に属する。
【０２７２】
任意選択的に、アンテナが共偏波アンテナアレイである場合、複数の第１の予め設定されたアンテナは、少なくとも２つのアンテナが同じ行になく、少なくとも２つのアンテナが同じ列にないことを満たす。少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映し得る。先述の２つの方向での信号送信における差異に従って、アンテナ構成情報を参照して補間演算が実行され、これにより、複数の第２の予め設定されたアンテナのチャネル状態情報は得られることができる。
【０２７３】
さらに、複数の第１の予め設定されたアンテナは、全てのアンテナが異なる行及び異なる列にあることをさらに満たす。
【０２７４】
さらに任意選択的に、同じ列の複数のアンテナがそれぞれの間に同じ数の行の間隔を有し、複数のアンテナを含む各隣接する２つの列がそれぞれの間に同じ数の行の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の列の間隔を有し、複数のアンテナを含む各隣接する２つの行の複数のアンテナが同じ列にないことを、複数の第１の予め設定されたアンテナはさらに満たす。
【０２７５】
さらに任意選択的に、複数の第１の予め設定されたアンテナを含むアンテナアレイの４つのコーナのそれぞれには１つのアンテナがあることを、複数の第１の予め設定されたアンテナはさらに満たす。
【０２７６】
さらに任意選択的に、１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。
【０２７７】
もちろん、代わりに、先述の共偏波アンテナアレイにおける予め設定されたアンテナの数及び配置方式が異なって良い。選択された複数の第１の予め設定されたアンテナが行及び列という２つの異なる方向にあれば、選択された複数の第１の予め設定されたアンテナは本願発明の範囲に属する。
【０２７８】
複数の第１の予め設定されたアンテナ及び複数の第２の予め設定されたアンテナは同じアンテナアレイにあり、複数の第１の予め設定されたアンテナは、複数の第２の予め設定されたアンテナとは異なるものである。
【０２７９】
端末は、構成情報に従って、複数の第１の予め設定されたアンテナ及び複数の第２の予め設定されたアンテナの間の位置関係を得てよく、複数の第２の予め設定されたアンテナのチャネル状態情報を得るよう、その位置関係に従って補間演算を実行することができる。
【０２８０】
具体的には、複数の第２の予め設定されたアンテナが複数の第１の予め設定されたアンテナを含む場合、受信ユニット５０１により受信されたアンテナ構成情報は、複数の第２の予め設定されたアンテナにおける複数の第１の予め設定されたアンテナのパターン情報を含む。
【０２８１】
任意選択的に、複数の第２の予め設定されたアンテナが複数の第１の予め設定されたアンテナを含まない場合、受信ユニット５０１により受信されたアンテナ構成情報は、アンテナアレイにおける複数の第１の予め設定されたアンテナのパターン情報と、アンテナアレイにおける複数の第２の予め設定されたアンテナのパターン情報とを含む。
【０２８２】
さらに、受信ユニット５０１により受信されたアンテナ構成情報は、複数のアンテナの間の間隔及びそれらの複数のアンテナの間の複数の相関係数のうちの少なくとも１つをさらに含む。
【０２８３】
構成情報は、複数のアンテナの間の間隔又はそれらの複数のアンテナの間の複数の相関係数を伝達し、これにより、端末は、複数の第２の予め設定されたアンテナのチャネル状態情報をより確実に得ることができる。
【０２８４】
取得ユニット５０２は、受信ユニット５０１により受信された、複数のパイロット信号とアンテナ構成情報とに従って計算を用いて、複数の第２の予め設定されたアンテナのチャネル状態情報を得る。
【０２８５】
任意選択的に、取得ユニット５０２は、複数のパイロット信号から、複数の第１の予め設定されたアンテナに対応するチャネル行列を取得するよう構成される第１の取得サブユニット５０２−１と、アンテナ構成情報から、複数の第１の予め設定されたアンテナ及び複数の第２の予め設定されたアンテナの間の位置関係を取得するよう構成される第２の取得サブユニット５０２−２と、複数の第２の予め設定されたアンテナのチャネル状態情報を得るよう、第１の取得サブユニットにより取得される、複数の第１の予め設定されたアンテナに対応するチャネル行列と、第２の取得サブユニットにより取得される、複数の第１の予め設定されたアンテナ及び複数の第２の予め設定されたアンテナの間の位置関係とに従って、補間演算を実行するよう構成される演算サブユニット５０２−３とを含む。
【０２８６】
アンテナのチャネル状態情報が、アンテナのランク情報、プリコーディング行列インジケータ、及びチャネル品質インジケータを含む。
【０２８７】
さらに、端末５００は、取得ユニット５０２により取得される、複数の第２の予め設定されたアンテナのチャネル状態情報を、基地局に送信する送信ユニット５０３をさらに含む。
【０２８８】
送信ユニット５０３は、複数の第２の予め設定されたアンテナのランク情報、プリコーディング行列インジケータ、及びチャネル品質インジケータを、基地局に送信するよう具体的に構成される。
【０２８９】
任意選択的に、送信ユニット５０３は、複数の第２の予め設定されたアンテナのランク情報、プリコーディング行列インジケータ、及びチャネル品質インジケータを、基地局に送信し、複数の第１の予め設定されたアンテナのランク情報、プリコーディング行列インジケータ、及びチャネル品質インジケータを、基地局に送信するよう具体的に構成される。この場合、複数の第１の予め設定されたアンテナのチャネル状態情報が確実に取得されることができる。
【０２９０】
任意選択的に、送信ユニット５０３は、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第２の予め設定されたアンテナのチャネル品質インジケータとを、基地局に送信し、複数の第１の予め設定されたアンテナのランク情報、プリコーディング行列インジケータ、及びチャネル品質インジケータを、基地局に送信するよう具体的に構成される。又は、送信ユニット５０３は、複数の第２の予め設定されたアンテナのランク情報と、複数の第２の予め設定されたアンテナのプリコーディング行列インジケータと、複数の第１の予め設定されたアンテナ及び複数の第２の予め設定されたアンテナの差分チャネル品質インジケータとを、基地局に送信し、複数の第１の予め設定されたアンテナのランク情報、プリコーディング行列インジケータ、及びチャネル品質インジケータを、基地局に送信するよう具体的に構成される。若しくは、送信ユニット５０３は、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第１の予め設定されたアンテナ及び複数の第２の予め設定されたアンテナの差分チャネル品質インジケータとを、基地局に送信し、複数の第１の予め設定されたアンテナのランク情報、プリコーディング行列インジケータ、及びチャネル品質インジケータを、基地局に送信するよう具体的に構成される。
【０２９１】
基地局は、複数の第１の予め設定されたアンテナ及び複数の第２の予め設定されたアンテナのプリコーディング行列インジケータの差分コードブックの先述の構成を用いて複数の第２の予め設定されたアンテナのプリコーディング行列インジケータを得ることができる。同様に、基地局は、複数の第１の予め設定されたアンテナ及び複数の第２の予め設定されたアンテナの先述の差分チャネル品質インジケータを用いて複数の第２の予め設定されたアンテナのチャネル品質インジケータを得ることができる。複数の第１の予め設定されたアンテナ及び複数の第２の予め設定されたアンテナの複数のプリコーディング行列インジケータの差分コードブックの構成と、複数の第１の予め設定されたアンテナ及び複数の第２の予め設定されたアンテナの差分チャネル品質インジケータとが、比較的少ないリソースを占有し、従って、この場合、パイロットオーバヘッドが低減させられることができる。
【０２９２】
先述の実施形態では、端末は、複数の第１の予め設定されたアンテナがマッピングされる複数のパイロット信号を受信し、複数の第１の予め設定されたアンテナは、基地局により、アンテナアレイから選択され、端末はまた、アンテナ構成情報を受信し、複数のパイロット信号とアンテナ構成情報とに従って、複数の第２の予め設定されたアンテナのチャネル状態情報を取得し、基地局に、複数の第２の予め設定されたアンテナのチャネル状態情報をフィードバックする。この場合、基地局による複数のパイロット信号にアンテナアレイにおける全てのアンテナのマッピングが回避され、パイロットオーバヘッドを低減させる。
【０２９３】
図２３を参照すると、本願発明の実施形態では、プロセッサ６０１と、受信機６０２と、送信機６０３と、メモリ６０４と、バス６０５とを備える基地局６００を提供し、プロセッサ６０１と、受信機６０２と、送信機６０３とは、バス６０５を用いて接続され、メモリ６０４は、プロセッサ６０１により処理されるべきデータを格納するよう構成される。
【０２９４】
バス６０５は、ＩＳＡ（ＩｎｄｕｓｔｒｙＳｔａｎｄａｒｄ  Ａｒｃｈｉｔｅｃｕｒｅ，インダストリスタンダードアーキテクチャ）バス、ＰＣＩ（Ｐｅｒｉｐｈｅｒａｌ  Ｃｏｍｐｏｎｅｎｔ  Ｉｎｔｅｒｃｏｎｎｅｃｔ，ペリフェラルコンポーネントインターコネクト）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ，拡張型インダストリスタンダードアーキテクチャ）バス、又は同様のものであってよい。バス６０５は、アドレスバス、データバス、コントロールバス、又は同様のものに分類されてよい。表記を容易にするために、図２３において、バス６０５は１本の太線のみを用いて表されるが、１つのバスしかない、又は１種類のバスしかないことを指していない。
【０２９５】
メモリ６０４は、実行可能なプログラムコードを格納するよう構成され、プログラムコードは、コンピュータ演算命令を含む。メモリ６０４は、高速ＲＡＭメモリを含んでよく、少なくとも１つの磁気ディスクメモリなどの不揮発性メモリ（Ｎｏｎ−ｖｏｌａｔｉｌｅ  ｍｅｍｏｒｙ）をさらに含んでよい。
【０２９６】
プロセッサ６０１は、中央演算処理装置（Ｃｅｎｔｒａｌ  Ｐｒｏｃｅｓｓｉｎｇ  Ｕｎｉｔ，略してＣＰＵと称される）、又は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，略してＡＳＩＣと称される）であってよく、若しくは、本願発明のこの実施形態を実行する１つ又は複数の集積回路としてとして構成される。
【０２９７】
プロセッサは、複数のパイロット信号に、アンテナアレイにおける複数の第１の予め設定されたアンテナをマッピングするよう構成される。
【０２９８】
複数の第１の予め設定されたアンテナは、基地局により予め設定されてよく、又は、端末が基地局に、複数の第１の予め設定されたアンテナの設定情報をフィードバックしてよく、若しくは、基地局は端末に、複数の第１の予め設定されたアンテナの設定情報を送信する。
【０２９９】
アンテナアレイが二重偏波アンテナアレイである場合、少なくとも２つのアンテナが同じ行になく、少なくとも２つのアンテナが同じ列になく、少なくとも２つのアンテナが異なる偏波方向にあることを、複数の第１の予め設定されたアンテナは満たす。同様に、少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映してよく、少なくとも２つのアンテナが異なる偏波方向にあることは、異なる偏波方向の複数のアンテナでの信号送信における差異を反映してよい。先述の３つの方向での信号送信における差異に従って、アンテナ構成情報を参照して補間演算が実行され、これにより、複数の第２の予め設定されたアンテナのチャネル状態情報は得られることができる。
【０３００】
さらに、複数のアンテナが対となり、各対の複数のアンテナが同じ行及び同じ列にあり、全てのアンテナ対が異なる行及び異なる列にあることを、複数の第１の予め設定されたアンテナはさらに満たす。
【０３０１】
さらに任意選択的に、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。
【０３０２】
さらに任意選択的に、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。
【０３０３】
さらに任意選択的に、同じ行及び同じ列においてアンテナが１つの偏波方向のみにあり、同じ列の複数のアンテナがそれぞれの間に同じ数の行の間隔を有し、その同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列においてアンテナが１つの偏波方向のみにあり、同じ行の複数のアンテナがそれぞれの間に同じ数の列の間隔を有し、その同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【０３０４】
さらに任意選択的に、複数の第１の予め設定されたアンテナを含むアンテナアレイの４つのコーナのそれぞれにおける複数のアンテナが対となっていることを、複数の第１の予め設定されたアンテナはさらに満たす。
【０３０５】
さらに任意選択的に、複数の第１の予め設定されたアンテナを含むアンテナアレイの４つのコーナのそれぞれには１つのアンテナがあり、かつ、２つの偏波方向におけるアンテナの数が同じであることを、複数の第１の予め設定されたアンテナはさらに満たす。
【０３０６】
さらに任意選択的に、一対のアンテナのみが存在し、当該対の複数のアンテナが同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。
【０３０７】
さらに任意選択的に、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。
【０３０８】
さらに任意選択的に、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。
【０３０９】
もちろん、代わりに、先述の二重偏波アンテナアレイにおける予め設定されたアンテナの数及び配置方式が異なって良い。選択された複数の第１の予め設定されたアンテナが行、列、及び偏波方向という３つの異なる方向にあれば、選択された複数の第１の予め設定されたアンテナは本願発明の範囲に属する。
【０３１０】
任意選択的に、アンテナが共偏波アンテナアレイである場合、複数の第１の予め設定されたアンテナは、少なくとも２つのアンテナが同じ行になく、少なくとも２つのアンテナが同じ列にないことを満たす。同様に、少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映し得る。先述の２つの方向での信号送信における差異に従って、アンテナ構成情報を参照して補間演算が実行され、これにより、複数の第２の予め設定されたアンテナのチャネル状態情報は得られることができる。
【０３１１】
さらに、複数の第１の予め設定されたアンテナは、全てのアンテナが異なる行及び異なる列にあることをさらに満たす。
【０３１２】
さらに任意選択的に、同じ列の複数のアンテナがそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【０３１３】
さらに任意選択的に、複数の第１の予め設定されたアンテナを含むアンテナアレイの４つのコーナのそれぞれには１つのアンテナがあることを、複数の第１の予め設定されたアンテナはさらに満たす。
【０３１４】
さらに任意選択的に、１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。
【０３１５】
もちろん、代わりに、先述の共偏波アンテナアレイにおける予め設定されたアンテナの数及び配置方式が異なって良い。選択された複数の第１の予め設定されたアンテナが行及び列という２つの異なる方向にあれば、選択された複数の第１の予め設定されたアンテナは本願発明の範囲に属する。
【０３１６】
送信機６０３は端末に、複数のパイロット信号及びアンテナ構成情報を送信するよう構成され、アンテナ構成情報は、複数の第１の予め設定されたアンテナのパターン情報と、複数の第２の予め設定されたアンテナのパターン情報とを含む。
【０３１７】
複数の第１の予め設定されたアンテナ及び複数の第２の予め設定されたアンテナは同じアンテナアレイにあり、複数の第１の予め設定されたアンテナは、複数の第２の予め設定されたアンテナとは異なるものである。
【０３１８】
具体的には、複数の第２の予め設定されたアンテナが複数の第１の予め設定されたアンテナを含む場合、送信機６０３により送信されたアンテナ構成情報は、複数の第２の予め設定されたアンテナにおける複数の第１の予め設定されたアンテナのパターン情報を含む。
【０３１９】
任意選択的に、複数の第２の予め設定されたアンテナが複数の第１の予め設定されたアンテナを含まない場合、送信機６０３により送信されたアンテナ構成情報は、アンテナアレイにおける複数の第１の予め設定されたアンテナのパターン情報と、アンテナアレイにおける複数の第２の予め設定されたアンテナのパターン情報とを含む。
【０３２０】
さらに、送信機６０３により送信されたアンテナ構成情報は、複数のアンテナの間の間隔及びそれらの複数のアンテナの間の複数の相関係数のうちの少なくとも１つをさらに含む。
【０３２１】
構成情報は、複数のアンテナの間の間隔又はそれらの複数のアンテナの間の複数の相関係数を伝達し、これにより、端末は、複数の第２の予め設定されたアンテナのチャネル状態情報をより確実に得ることができる。
【０３２２】
受信機６０２は、端末によりフィードバックされる、複数の第２の予め設定されたアンテナのチャネル状態情報を受信するよう構成される。
【０３２３】
基地局は、受信された、複数の第２の予め設定されたアンテナのチャネル状態情報に従って、端末に対して、複数の対応する送信アンテナを構成することができる。
【０３２４】
先述の実施形態では、基地局は、アンテナアレイから、複数の第１の予め設定されたアンテナを選択し、複数のパイロット信号に、複数の第１の予め設定されたアンテナをマッピングし、端末に、複数のパイロット信号及びアンテナ構成情報を送信し、端末は、複数のパイロット信号とアンテナ構成情報とに従って、複数の第２の予め設定されたアンテナのチャネル状態情報を取得し、基地局に、複数の第２の予め設定されたアンテナのチャネル状態情報をフィードバックする。この場合、基地局による複数のパイロット信号にアンテナアレイにおける全てのアンテナのマッピングが回避され、パイロットオーバヘッドを低減させる。
【０３２５】
図２４を参照すると、本願発明の実施形態では、プロセッサ７０１と、受信機７０２と、送信機７０３と、メモリ７０４と、バス７０５とを備える端末７００を提供し、プロセッサ７０１と、受信機７０２と、送信機７０３とは、バス７０５を用いて接続され、メモリ７０４は、プロセッサ７０１により処理されるべきデータを格納するよう構成される。
【０３２６】
バス７０５は、ＩＳＡ（ＩｎｄｕｓｔｒｙＳｔａｎｄａｒｄ  Ａｒｃｈｉｔｅｃｕｒｅ，インダストリスタンダードアーキテクチャ）バス、ＰＣＩ（Ｐｅｒｉｐｈｅｒａｌ  Ｃｏｍｐｏｎｅｎｔ  Ｉｎｔｅｒｃｏｎｎｅｃｔ，ペリフェラルコンポーネントインターコネクト）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ，拡張型インダストリスタンダードアーキテクチャ）バス、又は同様のものであってよい。バス７０５は、アドレスバス、データバス、コントロールバス、又は同様のものに分類されてよい。表記を容易にするために、図２４において、バス７０５は１本の太線のみを用いて表されるが、しかし、１つのバスしかない、又は１種類のバスしかないことを指していない。
【０３２７】
メモリ７０４は、実行可能なプログラムコードを格納するよう構成され、プログラムコードは、コンピュータ演算命令を含む。メモリ７０４は、高速ＲＡＭメモリを含んでよく、少なくとも１つの磁気ディスクメモリなどの不揮発性メモリ（ｎｏｎ−ｖｏｌａｔｉｌｅ  ｍｅｍｏｒｙ）をさらに含んでよい。
【０３２８】
プロセッサ７０１は、中央演算処理装置（Ｃｅｎｔｒａｌ  Ｐｒｏｃｅｓｓｉｎｇ  Ｕｎｉｔ，略してＣＰＵと称される）、又は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，略してＡＳＩＣと称される）であってよく、若しくは、本願発明のこの実施形態を実行する１つ又は複数の集積回路としてとして構成される。
【０３２９】
受信機７０２は、基地局により送信される複数のパイロット信号及びアンテナ構成情報を受信するよう構成され、複数のパイロット信号は、アンテナアレイにおける複数の第１の予め設定されたアンテナがマッピングされる複数のパイロット信号であり、アンテナ構成情報は、複数の第１の予め設定されたアンテナのパターン情報と複数の第２の予め設定されたアンテナのパターン情報とを含む。
【０３３０】
複数の第１の予め設定されたアンテナは、基地局により予め設定されてよく、又は、端末は、基地局に、複数の第１の予め設定されたアンテナの設定情報をフィードバックしてよく、若しくは、基地局は、端末に、複数の第１の予め設定されたアンテナの設定情報を送信する。
【０３３１】
アンテナアレイが二重偏波アンテナアレイである場合、複数の第１の予め設定されたアンテナは、少なくとも２つのアンテナが同じ行になく、少なくとも２つのアンテナが同じ列になく、少なくとも２つのアンテナが異なる偏波方向にあることを満たす。同様に、少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映してよく、少なくとも２つのアンテナが異なる偏波方向にあることは、異なる偏波方向の複数のアンテナでの信号送信における差異を反映してよい。先述の３つの方向での信号送信における差異に従って、アンテナ構成情報を参照して補間演算が実行され、これにより、複数の第２の予め設定されたアンテナのチャネル状態情報は得られることができる。
【０３３２】
さらに、複数のアンテナが対となり、各対の複数のアンテナが同じ行及び同じ列にあり、全てのアンテナ対が異なる行及び異なる列にあることを、複数の第１の予め設定されたアンテナはさらに満たす。
【０３３３】
さらに任意選択的に、同じ行及び同じ列においてアンテナが１つの偏波方向のみにあり、２つの偏波方向におけるアンテナの数の間の差が１を超えることができず、全てのアンテナが異なる行及び異なる列にあることを、複数の第１の予め設定されたアンテナはさらに満たす。
【０３３４】
さらに任意選択的に、複数のアンテナが対となり、各対の複数のアンテナが同じ行及び同じ列にあり、同じ列の複数のアンテナ対がそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナ対が同じ行にないこと、又は、複数のアンテナが対となり、各対の複数のアンテナが同じ行及び同じ列にあり、同じ行の複数のアンテナ対がそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナ対が同じ列にないことを、複数の第１の予め設定されたアンテナはさらに満たす。
【０３３５】
さらに任意選択的に、同じ行及び同じ列においてアンテナが１つの偏波方向のみにあり、同じ列の複数のアンテナがそれぞれの間に同じ数の行の間隔を有し、その同じ列の複数のアンテナが順次に交互の偏波方向にある、又は同じ偏波方向にあり、複数のアンテナを含む各隣接する２つの列がそれぞれの間に同じ数の列の間隔を有し、複数のアンテナを含む各隣接する２つの列の複数のアンテナが同じ行にないこと、又は、同じ行及び同じ列においてアンテナが１つの偏波方向のみにあり、同じ行の複数のアンテナがそれぞれの間に同じ数の列の間隔を有し、その同じ行の複数のアンテナが順次に交互の偏波方向にある、又は同じ偏波方向にあり、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【０３３６】
さらに任意選択的に、複数の第１の予め設定されたアンテナを含むアンテナアレイの４つのコーナのそれぞれにおける複数のアンテナが対となっていることを、複数の第１の予め設定されたアンテナはさらに満たす。
【０３３７】
さらに任意選択的に、複数の第１の予め設定されたアンテナを含むアンテナアレイの４つのコーナのそれぞれには１つのアンテナがあり、かつ、２つの偏波方向におけるアンテナの数が同じであることを、複数の第１の予め設定されたアンテナはさらに満たす。
【０３３８】
さらに任意選択的に、一対のアンテナのみが存在し、当該対の複数のアンテナが同じ行及び同じ列にあり、１つの偏波方向の複数のアンテナがそれぞれの間にその行において同じ数の列の間隔を有し、他の偏波方向の複数のアンテナがそれぞれの間にその列において同じ数の行の間隔を有することを、複数の第１の予め設定されたアンテナはさらに満たす。
【０３３９】
さらに任意選択的に、一対のアンテナのみが存在し、当該対の複数のアンテナが同じ行及び同じ列にあり、１つの偏波方向の複数のアンテナがそれぞれの間にその行において同じ数の列の間隔を有し、その偏波方向の複数のアンテナのうちの何れか１つが配置される列が同じ数の行の等しい間隔で他の偏波方向の複数のアンテナを含むこと、又は、一対のアンテナのみが存在し、当該対の複数のアンテナが同じ行及び同じ列にあり、１つの偏波方向の複数のアンテナがそれぞれの間にその列において同じ数の行の間隔を有し、その偏波方向の複数のアンテナのうちの何れか１つが配置される行が同じ数の列の等しい間隔で他の偏波方向の複数のアンテナを含むことを、複数の第１の予め設定されたアンテナはさらに満たす。
【０３４０】
さらに任意選択的に、１つの偏波方向の複数のアンテナがそれぞれの間に同じ行において同じ数の列の間隔を有し、その偏波方向の複数のアンテナのうちの何れか１つが配置される列が同じ数の行の等しい間隔で他の偏波方向の複数のアンテナを含むこと、又は、１つの偏波方向の複数のアンテナがそれぞれの間に同じ列において同じ数の行の間隔を有し、その偏波方向の複数のアンテナのうちの何れか１つが配置される行が、同じ数の列の等しい間隔で他の偏波方向の複数のアンテナを含むことを、複数の第１の予め設定されたアンテナはさらに満たす。
【０３４１】
もちろん、代わりに、先述の二重偏波アンテナアレイにおける予め設定されたアンテナの数及び配置方式が異なって良い。選択された複数の第１の予め設定されたアンテナが行、列、及び偏波方向という３つの異なる方向にあれば、選択された複数の第１の予め設定されたアンテナは本願発明の範囲に属する。
【０３４２】
任意選択的に、アンテナが共偏波アンテナアレイである場合、複数の第１の予め設定されたアンテナは、少なくとも２つのアンテナが同じ行になく、少なくとも２つのアンテナが同じ列にないことを満たす。同様に、少なくとも２つのアンテナが同じ行にないことは、異なる行の複数のアンテナでの信号送信における差異を反映し得る。同様に、少なくとも２つのアンテナが同じ列にないことは、異なる列の複数のアンテナでの信号送信における差異を反映し得る。先述の２つの方向での信号送信における差異に従って、アンテナ構成情報を参照して補間演算が実行され、これにより、複数の第２の予め設定されたアンテナのチャネル状態情報は得られることができる。
【０３４３】
さらに、複数の第１の予め設定されたアンテナは、全てのアンテナが異なる行及び異なる列にあることをさらに満たす。
【０３４４】
さらに任意選択的に、同じ列の複数のアンテナがそれぞれの間に同じ数の行の間隔を有し、複数のアンテナを含む各隣接する２つの列がそれぞれの間に同じ数の列の間隔を有し、複数のアンテナを含む各隣接する２つの列の複数のアンテナが同じ行にないこと、又は、同じ行の複数のアンテナがそれぞれの間に同じ数の列の間隔を有し、複数のアンテナを含む各隣接する２つの行がそれぞれの間に同じ数の行の間隔を有し、複数のアンテナを含む各隣接する２つの行の複数のアンテナが同じ列にないことを、複数の第１の予め設定されたアンテナはさらに満たす。
【０３４５】
さらに任意選択的に、複数の第１の予め設定されたアンテナを含むアンテナアレイの４つのコーナのそれぞれには１つのアンテナがあることを、複数の第１の予め設定されたアンテナはさらに満たす。
【０３４６】
さらに任意選択的に、１つの行において複数のアンテナがそれぞれの間に同じ数の列の間隔を有し、その行の複数のアンテナのうちの何れか１つが配置される列が等しい行間隔で複数のアンテナを含むことを、複数の第１の予め設定されたアンテナはさらに満たす。
【０３４７】
もちろん、代わりに、先述の共偏波アンテナアレイにおける予め設定されたアンテナの数及び配置方式が異なって良い。選択された複数の第１の予め設定されたアンテナが行及び列という２つの異なる方向にあれば、選択された複数の第１の予め設定されたアンテナは本願発明の範囲に属する。
【０３４８】
複数の第１の予め設定されたアンテナ及び複数の第２の予め設定されたアンテナは同じアンテナアレイにあり、複数の第１の予め設定されたアンテナは、複数の第２の予め設定されたアンテナとは異なるものである。
【０３４９】
端末は、構成情報に従って、複数の第１の予め設定されたアンテナ及び複数の第２の予め設定されたアンテナの間の位置関係を得てよく、複数の第２の予め設定されたアンテナのチャネル状態情報を得るよう、その位置関係に従って補間演算を実行することができる。
【０３５０】
具体的には、複数の第２の予め設定されたアンテナが複数の第１の予め設定されたアンテナを含む場合、受信機７０２により受信されたアンテナ構成情報は、複数の第２の予め設定されたアンテナにおける複数の第１の予め設定されたアンテナのパターン情報を含む。
【０３５１】
任意選択的に、複数の第２の予め設定されたアンテナが複数の第１の予め設定されたアンテナを含まない場合、受信機７０２により受信されたアンテナ構成情報は、アンテナアレイにおける複数の第１の予め設定されたアンテナのパターン情報と、アンテナアレイにおける複数の第２の予め設定されたアンテナのパターン情報とを含む。
【０３５２】
さらに、受信機７０２により受信されたアンテナ構成情報は、複数のアンテナの間の間隔及びそれらの複数のアンテナの間の複数の相関係数のうちの少なくとも１つをさらに含む。
【０３５３】
構成情報は、複数のアンテナの間の間隔又はそれらの複数のアンテナの間の複数の相関係数を伝達し、これにより、端末は、複数の第２の予め設定されたアンテナのチャネル状態情報をより確実に得ることができる。
【０３５４】
プロセッサ７０１は、受信機７０２により受信された、複数のパイロット信号とアンテナ構成情報とに従って計算を用いて、複数の第２の予め設定されたアンテナのチャネル状態情報を得るよう構成される。
【０３５５】
任意選択的に、プロセッサ７０１は、複数のパイロット信号から、複数の第１の予め設定されたアンテナに対応するチャネル行列を取得し、アンテナ構成情報から、複数の第１の予め設定されたアンテナ及び複数の第２の予め設定されたアンテナの間の位置関係を取得し、複数の第２の予め設定されたアンテナのチャネル状態情報を得るよう、複数の第１の予め設定されたアンテナに対応するチャネル行列と、複数の第１の予め設定されたアンテナ及び複数の第２の予め設定されたアンテナの間の位置関係とに従って補間演算を実行するよう構成される。
【０３５６】
アンテナのチャネル状態情報は、アンテナのランク情報、プリコーディング行列インジケータ、及びチャネル品質インジケータを含む。
【０３５７】
送信機７０３は複数の第２の予め設定されたアンテナのチャネル状態情報を、基地局に送信するよう構成される。
【０３５８】
送信機７０３は、複数の第２の予め設定されたアンテナのランク情報、プリコーディング行列インジケータ、及びチャネル品質インジケータを、基地局に送信するよう具体的に構成される。
【０３５９】
任意選択的に、送信機７０３は、複数の第２の予め設定されたアンテナのランク情報、プリコーディング行列インジケータ、及びチャネル品質インジケータを、基地局に送信し、複数の第１の予め設定されたアンテナのランク情報、プリコーディング行列インジケータ、及びチャネル品質インジケータを、基地局に送信するよう具体的に構成される。この場合、複数の第１の予め設定されたアンテナのチャネル状態情報は確実に取得されることができる。
【０３６０】
任意選択的に、送信機７０３は、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第２の予め設定されたアンテナのチャネル品質インジケータとを、基地局に送信し、複数の第１の予め設定されたアンテナのランク情報、プリコーディング行列インジケータ、及びチャネル品質インジケータを、基地局に送信するよう具体的に構成される、又は、送信機７０３は、複数の第２の予め設定されたアンテナのランク情報と、複数の第２の予め設定されたアンテナのプリコーディング行列インジケータと、複数の第１の予め設定されたアンテナ及び複数の第２の予め設定されたアンテナの差分チャネル品質インジケータを、基地局に送信し、複数の第１の予め設定されたアンテナのランク情報、プリコーディング行列インジケータ、及びチャネル品質インジケータを、基地局に送信するよう具体的に構成される、若しくは、送信機７０３は、複数の第２の予め設定されたアンテナのランク情報と、複数の第１の予め設定されたアンテナ及び複数の第２の予め設定されたアンテナの複数のプリコーディング行列インジケータの差分コードブックの構成と、複数の第１の予め設定されたアンテナ及び複数の第２の予め設定されたアンテナの差分チャネル品質インジケータを、基地局に送信し、複数の第１の予め設定されたアンテナのランク情報、プリコーディング行列インジケータ、及びチャネル品質インジケータを、基地局に送信するよう具体的に構成される。
【０３６１】
基地局は、複数の第１の予め設定されたアンテナ及び複数の第２の予め設定されたアンテナのプリコーディング行列インジケータの差分コードブックの先述の構成を用いて、複数の第２の予め設定されたアンテナのプリコーディング行列インジケータを得ることができる。同様に、基地局は、複数の第１の予め設定されたアンテナ及び複数の第２の予め設定されたアンテナの先述の差分チャネル品質インジケータを用いて、複数の第２の予め設定されたアンテナのチャネル品質インジケータを得ることができる。複数の第１の予め設定されたアンテナ及び複数の第２の予め設定されたアンテナの複数のプリコーディング行列インジケータの差分コードブックの構成と、複数の第１の予め設定されたアンテナ及び複数の第２の予め設定されたアンテナの差分チャネル品質インジケータとが比較的少ないリソースを占有し、従って、この場合、パイロットオーバヘッドが低減させられることができる。
【０３６２】
先述の実施形態では、端末は、複数の第１の予め設定されたアンテナがマッピングされる複数のパイロット信号を受信し、複数の第１の予め設定されたアンテナは、基地局により、アンテナアレイから選択され、端末はまた、アンテナ構成情報を受信し、複数のパイロット信号とアンテナ構成情報とに従って、複数の第２の予め設定されたアンテナのチャネル状態情報を取得し、基地局に、複数の第２の予め設定されたアンテナのチャネル状態情報をフィードバックする。この場合、基地局による複数のパイロット信号にアンテナアレイにおける全てのアンテナのマッピングが回避され、パイロットオーバヘッドを低減させる。
【０３６３】
図２５を参照すると、本願発明の実施形態では、通信システム８００を提供し、当該通信システム８００は、チャネル情報の取得を実行するのに用いられ、互いに通信することができる基地局８０１及び端末８０２を備える。基地局８０１は、図２１又は図２３に対応する実施形態で説明されている複数の基地局のうちの何れかでああり、端末８０２は、図２２又は図２４に対応する実施形態で説明されている複数の端末のうちの何れかであり、従って、基地局８０１及び端末８０２の構成についてはここでは再び説明されない。
【０３６４】
先述のシステム実施形態では、基地局がアンテナアレイから、いくつかのアンテナを選択し、複数のパイロット信号に、そのいくつかのアンテナをマッピングし、端末がアンテナアレイのアンテナ構成情報及びパターン情報を受信し、端末は、受信された情報から、アンテナアレイのチャネル状態情報を取得する。この場合、基地局による複数のパイロット信号にアンテナアレイにおける全てのアンテナのマッピングが回避され、パイロットオーバヘッドを低減させる。
【０３６５】
先述の実施形態では、基地局がアンテナアレイから、複数の第１の予め設定されたアンテナを選択し、複数のパイロット信号に、複数の第１の予め設定されたアンテナをマッピングし、端末に、複数のパイロット信号及びアンテナ構成情報を送信し、端末は、複数のパイロット信号とアンテナ構成情報とに従って、複数の第２の予め設定されたアンテナのチャネル状態情報を取得し、基地局に、複数の第２の予め設定されたアンテナのチャネル状態情報をフィードバックする。この場合、基地局による複数のパイロット信号にアンテナアレイにおける全てのアンテナのマッピングが回避され、パイロットオーバヘッドを低減させる。
【０３６６】
先述の説明は、本願発明の特定の複数の実施形態にすぎず、本願発明の保護範囲を限定することが意図されていない。本願発明において開示される技術的範囲内で当業者により容易に理解される何らかの変形例及び置換例は、本願発明の保護範囲内に含まれるものとする。従って、本願発明の保護範囲は、特許請求の範囲の保護範囲に従うものとする。
【図１】
0006351129.tif 000002
【図２】
0006351129.tif 000003
【図３】
0006351129.tif 000004
【図４】
0006351129.tif 000005
【図５】
0006351129.tif 000006
【図６】
0006351129.tif 000007
【図７】
0006351129.tif 000008
【図８】
0006351129.tif 000009
【図９】
0006351129.tif 000010
【図１０】
0006351129.tif 000011
【図１１】
0006351129.tif 000012
【図１２】
0006351129.tif 000013
【図１３】
0006351129.tif 000014
【図１４】
0006351129.tif 000015
【図１５】
0006351129.tif 000016
【図１６】
0006351129.tif 000017
【図１７】
0006351129.tif 000018
【図１８】
0006351129.tif 000019
【図１９】
0006351129.tif 000020
【図２０】
0006351129.tif 000021
【図２１】
0006351129.tif 000022
【図２２】
0006351129.tif 000023
【図２３】
0006351129.tif 000024
【図２４】
0006351129.tif 000025
【図２５】
0006351129.tif 000026